(57)【要約】      （修正有）【課題】ユーザに対する着信の認知度を一層向上させる。【解決手段】着信音を鳴動させないマナーモードと着信音を鳴動させる通常モードとの間で着信モードの切替の正確さを反映する着信モード切替正確さ状態情報を記憶する第１の記憶部と、着信モードの設定状態を示す着信モード状態情報と、着信モード切替正確さ状態情報と、当該状態情報に応じて着信を通知する着信通知動作とが関連付けられた着信通知動作関連情報を記憶する第２の記憶部と、着信モード状態情報取得部と、第１の記憶部に記憶される着信モード切替正確さ状態情報を取得する着信モード切替正確さ状態情報取得部と、第２の記憶部に記憶される着信通知動作関連情報に基づいて、取得された着信モード状態情報と着信モード切替正確さ状態情報とに対応する着信通知動作を判定する着信動作判定部と、判定された着信通知動作を実行するように制御する着信通知動作制御部と、を備える。【選択図】図２
2012004913.tif 000002
【特許請求の範囲】
【請求項１】
着信音を鳴動させないマナーモードと着信音を鳴動させる通常モードとの間で着信モードの切替の正確さを反映する着信モード切替正確さ状態情報を記憶する第１の記憶部と、
前記着信モードの設定状態を示す着信モード状態情報と、前記着信モード切替正確さ状態情報と、当該着信モード状態情報及び着信モード切替正確さ状態情報に応じて着信を通知する着信通知動作とが関連付けられた着信通知動作関連情報を記憶する第２の記憶部と、
前記着信モード状態情報を取得する着信モード状態情報取得部と、
前記第１の記憶部に記憶される着信モード切替正確さ状態情報を取得する着信モード切替正確さ状態情報取得部と、
前記第２の記憶部に記憶される着信通知動作関連情報に基づいて、前記取得された着信モード状態情報と着信モード切替正確さ状態情報とに対応する前記着信通知動作を判定する着信動作判定部と、
前記判定された着信通知動作を実行するように制御する着信通知動作制御部と、
を備える携帯電話機。
【請求項２】
請求項１に記載の携帯電話機であって、
前記着信通知動作制御部による着信通知動作の際に、現時点における前記着信モード状態情報を確認する旨の指示内容を表示する表示部と、を更に備える携帯電話機。
【請求項３】
請求項１又は２に記載の携帯電話機であって、
前記着信モード状態情報を記憶する第３の記憶部と、を更に備え、
前記着信モード状態情報取得部は、当該携帯電話機への前記着信が検出されたことを示す着信検出信号を入力した場合に、前記第３の記憶部から前記着信モード状態情報を取得する携帯電話機。
【請求項４】
請求項３に記載の携帯電話機であって、
所定の入力操作に応じて、前記着信モード切替正確さ状態情報を更新する着信モード切替正確さ状態情報更新部と、を更に備える携帯電話機。
【請求項５】
請求項１〜４のうちいずれか一項に記載の携帯電話機であって、
当該携帯電話機である自端末の周辺に、他の携帯電話機である他端末の存在確認を行う自端末通信制御部と、を更に備える携帯電話機。
【請求項６】
請求項５に記載の携帯電話機であって、
前記自端末通信制御部は、前記他端末の存在が確認された場合に、前記自端末への着信に対する擬似着信通知動作として、前記他端末の動作状態に応じた当該擬似着信通知動作を当該他端末に実行させる携帯電話機。
【請求項７】
請求項６に記載の携帯電話機であって、
前記自端末及び他端末の各着信モード切替正確さ状態情報の比較結果に基づいて、当該自端末及び他端末のうちいずれかの端末の着信モードに応じた前記擬似着信通知動作を行うと判定する擬似着信通知動作判定部と、を更に備え、
前記擬似着信通知動作判定部は、当該判定された擬似着信通知動作を前記他端末に行わせるように前記自端末通信制御部に要求する携帯電話機。
【請求項８】
着信音を鳴動させないマナーモード又は着信音を鳴動させる通常モードに応じて着信する携帯電話機の着信通知動作実行方法であって、
着信モードの設定状態を示す着信モード状態情報を取得するステップと、
前記マナーモードと前記通常モードとの間で前記着信モードの切替の正確さを反映する着信モード切替正確さ状態情報を取得するステップと、
前記着信モード状態情報と、前記着信モード切替正確さ状態情報と、当該着信モード状態情報及び着信モード切替正確さ状態情報に応じて着信を通知させる着信通知動作とが関連付けられた着信通知動作関連情報に基づいて、前記取得された着信モード状態情報と着信モード切替正確さ状態情報とに対応する前記着信通知動作を判定するステップと、
前記判定された着信通知動作を実行するように制御するステップと、
を備えた着信通知動作実行方法。
【請求項９】
着信音を鳴動させないマナーモード又は着信音を鳴動させる通常モードに応じて着信するコンピュータである携帯電話機に、
着信モードの設定状態を示す着信モード状態情報を取得するステップと、
前記マナーモードと前記通常モードとの間で前記着信モードの切替の正確さを反映する着信モード切替正確さ状態情報を取得するステップと、
前記着信モード状態情報と、前記着信モード切替正確さ状態情報と、当該着信モード状態情報及び着信モード切替正確さ状態情報に応じて着信を通知させる着信通知動作とが関連付けられた着信通知動作関連情報に基づいて、前記取得された着信モード状態情報と着信モード切替正確さ状態情報とに対応する前記着信通知動作を判定するステップと、
前記判定された着信通知動作を実行するように制御するステップと、
を実現させるためのプログラム。
【発明の詳細な説明】
【技術分野】
【０００１】
本発明は、着信音を鳴動させないマナーモードと着信音を鳴動させる通常モードとの間における切替操作の正確さに関する状態情報に応じて着信通知動作を実行する携帯電話機、着信通知動作実行方法、及びプログラムに関する。
【背景技術】
【０００２】
一般に、携帯電話機にはマナーモードという機能が実装されているため、携帯電話機は、ユーザが携帯電話機を公共的な場所で携行する場合に、着信音が鳴動したことによって周囲に迷惑が掛かることを防止することができる。また、携帯電話機は、マナーモードの設定時において、バイブレーション機能による振動で着信を知らせる機能を備えている。ところが、ユーザが携帯電話機を身体に密着させずに、例えば鞄の中等に入れていた場合には、ユーザは、着信を知らせる着信通知動作としての振動に気付かないことがある。このため、従来の携帯電話機には、重要な通話に対応することができない場合があると言う問題があった。この問題を解決するために、着信者側のマナーモードの設定を発信者側から解除することができるようにした携帯電話機として、特許文献１が提案されている。
【０００３】
例えば、特許文献１には、携帯電話機自身が置かれている状況を検出し、マナーモードに設定されている状態で発呼を受けた際には当該検出された状況の情報を発信側の携帯電話機に送信し、当該送信後に当該発信側の携帯電話機から当該携帯電話機のマナーモードの設定を解除する操作が行われた場合に当該マナーモードを解除する携帯電話機及び通話制御方法が開示されている。この特許文献１に開示されている携帯電話機及び通話制御方法によれば、着信側の携帯電話機にマナーモードが設定されている場合に、着信側のユーザの状況を判定して発信側に伝達する。このため、発信側のユーザは、着信側の状況を考慮に入れた上でマナーモードの解除操作を行うべきか否かを判断することができる。
【０００４】
また、自己の携帯電話機の周囲に存在する周辺携帯電話機が、当該周辺携帯電話機自身のマナーモードに関する設定情報に基づいて当該自己の携帯電話機のマナーモードの設定を行うものとして、特許文献２が開示されている。
【０００５】
例えば、特許文献２には、携帯電話端末自身への着信時に、当該携帯電話端末の周辺に存在する周辺装置における着信通知種別を取得し、当該取得された着信通知種別に応じて、当該携帯電話端末自身における着信通知種別を自動的に決定する情報提示制御装置及び情報提示制御方法が開示されている。この特許文献２に開示されている情報提示制御装置及び情報提示制御方法によれば、周囲の人が所持する周辺装置に設定されている着信通知種別に基づいて携帯電話端末自身の着信通知種別を選択することにより、周囲の人の心理的準備状態に応じた着信通知種別で着信を通知させることができる。
【先行技術文献】
【特許文献】
【０００６】
【特許文献１】特許４４４０２２８号公報
【特許文献２】特開２００７−３２５１５８号公報
【発明の概要】
【発明が解決しようとする課題】
【０００７】
しかしながら、マナーモードと通常モードとの間で着信モードの設定の切替を適切に行っているユーザにとっては、前述した特許文献１又は特許文献２に開示されている方法では、当該ユーザの気付かない間に当該着信モードが例えば着信モードが通常モードからマナーモードに勝手に切り替えられてしまう。このため、ユーザが自己の着信モードの設定に基づいて意図している携帯電話機の着信通知動作が実行されないことがあるため、ユーザは、携帯電話機に対する着信に気付かないことがあるという問題があった。
【０００８】
本発明は、前述の従来の事情に鑑みてなされたもので、着信モード状態情報とユーザの当該着信モードの習慣的な切替操作の正確さを反映する着信モード切替正確さ状態情報とを考慮した着信通知動作を行うことにより、ユーザの着信認知確率を格段に向上する携帯電話機、着信通知動作実行方法、及びプログラムを提供することを目的とする。
【課題を解決するための手段】
【０００９】
本発明は、前述した携帯電話機であって、着信音を鳴動させないマナーモードと着信音を鳴動させる通常モードとの間で着信モードの切替の正確さを反映する着信モード切替正確さ状態情報を記憶する第１の記憶部と、着信モードの設定状態を示す着信モード状態情報と、着信モード切替正確さ状態情報と、当該着信モード状態情報及び着信モード切替正確さ状態情報に応じて着信を通知する着信通知動作とが関連付けられた着信通知動作関連情報を記憶する第２の記憶部と、着信モード状態情報を取得する着信モード状態情報取得部と、第１の記憶部に記憶される着信モード切替正確さ状態情報を取得する着信モード切替正確さ状態情報取得部と、第２の記憶部に記憶される着信通知動作関連情報に基づいて、取得された着信モード状態情報と着信モード切替正確さ状態情報とに対応する前記着信通知動作を判定する着信動作判定部と、判定された着信通知動作を実行するように制御する着信通知動作制御部と、を備える。
【００１０】
また、本発明は、前述した着信通知動作実行方法であって、着信音を鳴動させないマナーモード又は着信音を鳴動させる通常モードに応じて着信する携帯電話機の着信通知動作実行方法であって、着信モードの設定状態を示す着信モード状態情報を取得するステップと、マナーモードと通常モードとの間で着信モードの切替の正確さを反映する着信モード切替正確さ状態情報を取得するステップと、着信モード状態情報と、着信モード切替正確さ状態情報と、当該着信モード状態情報及び着信モード切替正確さ状態情報に応じて着信を通知させる着信通知動作とが関連付けられた着信通知動作関連情報に基づいて、取得された着信モード状態情報と着信モード切替正確さ状態情報とに対応する前記着信通知動作を判定するステップと、判定された着信通知動作を実行するように制御するステップと、を備える。
【００１１】
また、本発明は、前述したプログラムであって、着信音を鳴動させないマナーモード又は着信音を鳴動させる通常モードに応じて着信する携帯電話機の着信通知動作実行方法であって、着信モードの設定状態を示す着信モード状態情報を取得するステップと、マナーモードと通常モードとの間で着信モードの切替の正確さを反映する着信モード切替正確さ状態情報を取得するステップと、着信モード状態情報と、着信モード切替正確さ状態情報と、当該着信モード状態情報及び着信モード切替正確さ状態情報に応じて着信を通知させる着信通知動作とが関連付けられた着信通知動作関連情報に基づいて、取得された着信モード状態情報と着信モード切替正確さ状態情報とに対応する着信通知動作を判定するステップと、判定された着信通知動作を実行するように制御するステップと、を実現させる。
【００１２】
前述した構成によれば、着信モード状態情報とユーザの当該着信モードの習慣的な切替操作の正確さを反映する着信モード切替正確さ状態情報とを考慮した着信通知動作を行うことにより、ユーザの着信認知確率を格段に向上することができる。
【発明の効果】
【００１３】
本発明に係る携帯電話機、着信通知動作実行方法、及びプログラムによれば、着信モード状態情報とユーザの当該着信モードの習慣的な切替操作の正確さを反映する着信モード切替正確さ状態情報とを考慮した着信通知動作を行うことにより、ユーザの着信認知確率を格段に向上することができる。
【図面の簡単な説明】
【００１４】
【図１】第１の実施形態の自端末を含む移動体通信システムの内容を示す説明図
【図２】第１の実施形態の自端末の制御部及び記憶部の内部構成を示すブロック図
【図３】着信モード切替正確さ状態情報の遷移条件と遷移効果との関係を示す説明図
【図４】着信モード継続時間情報の内容を示す説明図
【図５】着信通知動作関連情報の内容を示す説明図
【図６】第１の実施形態の自端末の動作を説明するフローチャート
【図７】第２の実施形態の自端末及び他端末をそれぞれ含む移動体通信システムの内容を示す説明図
【図８】第２の実施形態の自端末の制御部及び記憶部の内部構成を示すブロック図
【図９】第２の実施形態の他端末の制御部及び記憶部の内部構成を示すブロック図
【図１０】擬似着信通知動作関連情報の内容を示す説明図
【図１１】第２の実施形態の自端末の動作を説明するフローチャート
【図１２】第２の実施形態の他端末の動作を説明するフローチャート
【図１３】第３の実施形態の自端末の制御部及び記憶部の内部構成を示すブロック図
【図１４】第３の実施形態の他端末の制御部及び記憶部の内部構成を示すブロック図
【図１５】第３の実施形態の自端末の動作を説明するフローチャート
【図１６】第３の実施形態の自端末の動作を説明するフローチャート
【図１７】第３の実施形態の他端末の動作を説明するフローチャート
【発明を実施するための形態】
【００１５】
以下、本発明の各実施形態について、図面を参照して説明する。以下の各実施形態においては、本発明の携帯電話機を、当該携帯電話機を使用するユーザ自身の携帯電話機である端末として「自端末」と略記する。なお、本発明は、自端末である携帯電話機の様な装置、又は当該装置であるコンピュータを動作させるための「プログラム」として表現することも可能であり、更に、携帯電話機により実行されるステップを含む「方法」として表現することも可能である。即ち、本発明は、装置、方法及びプログラムのうちいずれのカテゴリーでも表現可能である。
【００１６】
（第１の実施形態）
１．第１の実施形態の自端末を含む移動体通信システムの構成
図１は、第１の実施形態の自端末１０を含む移動体通信システムの内容を示す説明図である。この移動体通信システムは、移動体通信網として例えば携帯電話網又はＰＨＳ（Personal Handy-phone System）網の無線基地局１と、発信者側の携帯電話機である発信者端末２と、着信者側の携帯電話機である自端末１０とにより構成されている。なお、無線基地局１の代わりに、無線ＬＡＮ（Local Area Network）のアクセスポイントでも良く、以下の説明においても同様である。また、発信者端末２及び自端末１０は、それぞれ無線基地局１との間で無線通信を実行する。
【００１７】
自端末１０の構成について説明する。図１に示すように、自端末１０は、アンテナ１１と、無線通信部１２と、マイク１３と、スピーカ１４と、操作部１５と、記憶部１６と、着信通知動作部１７と、制御部１８と、表示部１９と、内部時計２０とを備える。
【００１８】
無線通信部１２は、アンテナ１１を介して無線基地局１との間で変調後無線信号を送受信する。無線通信部１２は、変調後無線信号を無線基地局１に送信する際、制御部１８により出力された情報に基づいてベースバンド信号を生成し、当該生成されたベースバンド信号と所定のキャリア信号とに基づいて変調することにより変調後無線信号を生成する。無線通信部１２は、当該生成された変調後無線信号を、アンテナ１１を介して無線基地局１に送信する。また、無線通信部１２は、変調後無線信号を無線基地局１から受信した際、当該受信された変調後無線信号を復調してベースバンド信号を抽出する。無線通信部１２は、当該抽出されたベースバンド信号から所用の情報を制御部１８に出力する。また、無線通信部１２は、自端末１０が無線基地局１から呼び出し信号を受信した際、当該呼び出し信号に基づいて着信がある旨の着信検出信号を制御部１８に出力する。なお、この呼び出し信号には、発信者端末２の発信者番号が含まれており、同様に着信検出信号にも、当該発信者端末２の発信者番号が含まれているものとする。呼び出し信号及び着信検出信号に発信者端末２の発信者番号が含まれていることは、以下の説明においても同様である。
【００１９】
マイク１３は、ユーザが発声する音声を収音し、当該収音された音声に基づいて音声信号を制御部１８に出力する。スピーカ１４は、制御部１８により出力された音声信号に基づいて音声を出力する。なお、マイク１３及びスピーカ１４は、自端末１０の通話相手である発信者端末２との音声通信の際に使用される。
【００２０】
操作部１５は、ユーザからの入力操作を受け付けると共に、当該受け付けた入力操作に対応した入力操作信号を制御部１８に出力する。操作部１５は、例えば、電話番号等を入力するテンキー、オンフック又はオフフックを行う通話キー、及びファンクションキー等の各種キーを有する。また、操作部１５は、表示部１９の上に配置され、ユーザの指又はスタイラスペン等による入力操作を受け付け可能なタッチパネル等で構成されても良い。
【００２１】
記憶部１６は、自端末１０に内蔵されるＲＯＭ、ＲＡＭ、ハードディスク、又はフラッシュメモリ等の記憶媒体で構成され、制御部１８の各部（図２参照）の動作が予め規定されたプログラムをそれぞれ記憶している。また、記憶部１６は、当該各部（図２参照）の動作における各々のワークメモリとしても動作する。また、記憶部１６は、後述するように、着信モード状態情報記憶部１６ａと、着信モード切替正確さ状態情報記憶部１６ｂと、着信通知動作関連情報１８ｃと、着信通知動作情報記憶部１６ｄとを備える。なお、各記憶部１６ａ〜１８ｄの詳細は後述する。
【００２２】
なお、後述する制御部１８の各部（図２参照）は、ハードウェア又はソフトウェアで構成することが可能である。特に、これらの各部がソフトウェアにより構成される際には、当該制御部１８の各部（図２参照）の動作が予め規定されたプログラムが自端末１０に内蔵されているＣＰＵより読み込まれることにより当該各部が動作可能となる。
【００２３】
着信通知動作部１７は、自端末１０が無線基地局１から呼び出し信号を受信した際、即ち当該自端末１０の着信時に後述する制御部１８の動作により判定された着信通知動作を、当該制御部１８により出力された着信通知動作信号に従って実行する。この着信通知動作を実行するために、着信通知動作部１７は、着信時に呼び出し音である着信音を出力する呼び出し音出力部１７ｘと、着信時に振動するバイブレータ部１７ｙと、着信時に発光する発光部１７ｚとを備える。
【００２４】
呼び出し音出力部１７ｘは、制御部１８の制御下で所望の音色であるメロディ及び音量で呼び出し音を出力する。バイブレータ部１７ｙは、制御部１８の制御下で所望の振動パターン及び振動強度で振動する。発光部１７ｚは、例えば赤、緑及び青の複合ＬＥＤ（Light Emitting Diode）によって構成され、制御部１８の制御下で所望の発光パターン及び発光量で発光する。
【００２５】
制御部１８は、自端末１０に内蔵されるＣＰＵ、ＤＳＰ、ＲＯＭ、ＲＡＭ等で構成され、自端末１０の各種機能を制御する。制御部１８は、後述するように、着信モード状態情報取得部１８ａと、着信モード切替正確さ状態情報取得部１８ｂと、着信通知動作判定部１８ｃと、着信通知動作更新部１８ｄと、着信通知動作制御部１８ｅと、着信モード切替正確さ状態情報更新部１８ｆとを備える。なお、制御部１８の各部１８ａ〜１８ｆの詳細については後述する。
【００２６】
表示部１９は、例えば自端末１０のＬＣＤ（Liquid Crystal Display）により構成され、操作部１５により入力された操作内容又は自端末１０がユーザに通知する各種情報等を表示する。各種情報として、例えば、表示部１９は、当該自端末１０の着信時に当該自端末の着信モードをユーザに確認する旨の着信モード確認指示情報を表示する。
【００２７】
内部時計２０は、クロック回路（不図示）から与えられるクロックをカウントすることにより現在時刻を計時すると共に、当該計時された現在時刻に関する時刻情報を制御部１８に出力する。また、内部時計２０は、制御部１８の一部に含めても良い。
【００２８】
図２は、第１の実施形態の自端末１０の記憶部１６及び制御部１８の内部構成を示すブロック図である。記憶部１６及び制御部１８について図２を参照して説明する。
【００２９】
先ず、記憶部１６について説明する。記憶部１６は、自端末１０Ａに内蔵されるＲＯＭ、ＲＡＭ、ハードディスク、又はフラッシュメモリ等の記憶媒体で構成され、図２に示す様に、着信モード状態情報記憶部１６ａと、着信モード切替正確さ状態情報記憶部１６ｂと、着信通知動作関連情報記憶部１６ｃと、着信通知動作情報記憶部１６ｄとを備える。
【００３０】
着信モード状態情報記憶部１６ａは、自端末１０の現時点における着信モードとして、着信音を鳴動させないマナーモード及び着信音を鳴動させる通常モードのうちいずれのモードであるかを示す情報である着信モード状態情報を記憶する。また、着信モード状態情報記憶部１６ａは、図３に示す着信モード継続時間情報ＴＴを記憶している。図３を参照して着信モード継続時間情報ＴＴを説明する。図３は、着信モード継続時間情報ＴＴの内容を示す説明図であり、着信モード継続時間情報ＴＴを表形式に示したものである。
【００３１】
着信モード継続時間情報ＴＴは、着信モードとしてのマナーモード又は通常モードの設定状態が継続された時間を曜日毎に累計した情報である。後述する制御部１８の着信モード切替正確さ状態情報更新部１８ｆは、ユーザが操作部１５を介して着信モードの切替操作を実行する度に、内部時計２０により出力された時刻情報を参照して着信モード継続時間情報ＴＴを演算及び更新する。
【００３２】
例えば、図３に示す着信モード継続時間情報ＴＴでは、ユーザが操作部１５を介して着信モードの切替操作を実行したことによって、月曜日における通常モードの継続時間の累計は６［時間］であり、火曜日における通常モードの継続時間の累計は７［時間］であり、水曜日における通常モードの継続時間の累計は８［時間］であり、木曜日における通常モードの継続時間の累計は９［時間］であり、金曜日における通常モードの継続時間の累計は１０［時間］であり、土曜日における通常モードの継続時間の累計は１１［時間］であり、日曜日における通常モードの継続時間の累計は１２［時間］であることが示されている。なお、月曜日から日曜日までの通常モードの継続時間の累計は６３［時間］であり、当該通常モードの継続時間の平均時間ＡＴは９［時間］であることが示されている。
【００３３】
また、図３に示す着信モード継続時間情報ＴＴでは、ユーザが操作部１５を介して着信モードの切替操作を実行したことによって、月曜日におけるマナーモードの継続時間の累計は１８［時間］であり、火曜日における通常モードの継続時間の累計は１７［時間］であり、水曜日における通常モードの継続時間の累計は１６［時間］であり、木曜日における通常モードの継続時間の累計は１５［時間］であり、金曜日における通常モードの継続時間の累計は１４［時間］であり、土曜日における通常モードの継続時間の累計は１３［時間］であり、日曜日における通常モードの継続時間の累計は１２［時間］であることが示されている。なお、月曜日から日曜日までの通常モードの継続時間の累計は１０５［時間］であり、当該通常モードの継続時間の平均時間ＡＴは１５［時間］であることが示されている。また、平均時間ＡＴは各着信モードの設定状態の継続時間を示す状態継続時間Ｔを切替回数で除した値として演算されることが好ましい。更に、各着信モードの継続時間の平均時間ＡＴの初期値は２４［時間］として演算されるものとする。
【００３４】
また、図３に示す着信モード継続時間情報ＴＴは、各着信モードにおける曜日毎の累計、全日数の累計及び平均時間ではなく、例えば着信モードを切替操作したときの個別の状態継続時間Ｔに関する情報であっても良い。前述した様に、着信モード切替正確さ状態情報更新部１８ｆは、後述する図４に示した一定時間（※１）である平均時間の演算を次の様に行う。具体的には、着信モード切替正確さ状態情報更新部１８ｆは、各着信モードの状態継続時間Ｔの平均時間ＡＴの初期値を２４［時間］とし、内部時計２０により出力された時刻情報を参照して、操作部１５により出力された入力操作信号を入力する度に、当該切替操作の前まで設定されていた着信モードの状態継続時間Ｔを計測する。着信モード切替正確さ状態情報更新部１８ｆは、当該計測された着信モードの状態継続時間Ｔから各着信モードの状態継続時間Ｔを曜日毎に演算する。着信モード切替正確さ状態情報更新部１８ｆは、当該演算された各着信モードの状態継続時間Ｔに基づいて平均時間ＡＴを演算する。但し、曜日毎の各着信モードの状態継続時間Ｔは、同日内で着信モードの切替として通常モードからマナーモードへの切替操作及びマナーモードから通常モードへの切替操作の双方向の切替操作が共に行われた場合にのみ演算され、当該同日内に着信モードの双方向の切替操作が行われていない場合には、着信モード切替正確さ状態情報更新部１８ｆは、曜日に関係なく全日数の各着信モードの設定継続時間の平均時間を演算することが好ましい。
【００３５】
着信モード切替正確さ状態情報記憶部１６ｂは、ユーザが自端末１０の着信モードをマナーモードと通常モードとの間で適切に切替しているか否かを反映する情報である着信モード切替正確さ状態情報を記憶する。以下の各実施形態においては、この着信モード切替正確さ状態情報は、正確状態、不正確状態１、不正確状態２、不正確状態３、及び不正確状態４の５種類の段階に区分けされた情報で構成されている。正確状態は、自端末１０の着信モードの切替を最も正確に行っていることを反映する状態である。正確状態より正確に着信モードの切替が行われていないことを反映する状態として、正確状態の次に属する情報として段階的に不正確状態１、不正確状態２、不正確状態３が設けられ、自端末１０の着信モードの切替を最も正確に行っていないことを反映する情報として不正確状態４が設けられている。着信モード切替正確さ状態情報記憶部１６ｂは、これらの正確状態、不正確状態１、不正確状態２、不正確状態３及び不正確状態４の５つの状態のうち、現時点においていずれかの状態を示す情報である着信モード切替正確さ状態情報を記憶する。
【００３６】
着信モード切替正確さ状態情報は、操作部１５により出力された入力操作信号の内容に応じて図４に示す遷移条件が満たされた場合に、制御部１８の着信モード切替正確さ状態情報更新部１８ｆにより更新される。図４は、着信モード切替正確さ状態情報の遷移条件と当該遷移条件が満たされた場合の着信モード切替正確さ状態情報の遷移効果との関係を示す説明図である。着信モード切替正確さ状態情報の遷移効果には、着信モード切替正確さ状態情報が「不正確方向に１つ遷移する」、「正確方向に１つ遷移する」及び「正確状態に遷移する」の３種類設けられている。不正確方向に１つ遷移するとは、着信モード切替正確さ状態情報が「正確状態」である場合に「不正確状態１」に遷移することを示す。同様に正確方向に１つ遷移するとは、着信モード切替正確さ状態情報が「不正確状態３」である場合に「不正確状態２」に遷移することを示す。更に、正確状態に遷移するとは、着信モード切替正確さ状態情報が正確状態を除く他の状態であって、正確状態に遷移することを示し、例えば「不正確状態１」から「正確状態」に遷移することであり、「不正確状態４」から「正確状態」に遷移することでもある。
【００３７】
図４に示す様に、着信モード切替正確さ状態情報が「不正確方向に１つ遷移する」場合とは、次の４つの遷移条件のいずれかが満たされるときである。具体的には、当該遷移条件は、遷移条件（ａ）としてユーザが通常モードの状態における着信時に当該着信に応答する前に着信音を消音するための操作を行った場合、遷移条件（ｂ）としてユーザがマナーモードの状態における着信時に不応答だった場合、遷移条件（ｃ）として着信モードをマナーモードから通常モードに切り替えた直近の操作後又は遷移条件（ａ）が発生した後から着信が一度もなく前述した平均時間ＡＴが経過した場合、及び遷移条件（ｄ）として着信モードを通常モードからマナーモードに切り替えた直近の操作後又は遷移条件（ｂ）が発生した後から着信が一度もなく所定時間が経過した場合である。なお、この条件（ｄ）における所定時間は例えば１５［秒］とするが、特に１５［秒］に限定されない。また、遷移条件（ａ）における着信音を消音するための操作は、例えば自端末１０に設けられた終話ボタンを押下する行為等が該当する。
【００３８】
また、着信モード切替正確さ状態情報が「正確方向に１つ遷移する」場合とは、次の２つの条件のいずれかが満たされるときである。具体的には、当該遷移条件は、遷移条件（ｅ）としてユーザが通常モードの状態における着信時に着信音消音操作を行わずに前述した所定時間（１５秒）以降に応答した場合、及び遷移条件（ｆ）としてユーザがマナーモードの状態における着信時に不応答だったことの着信確認操作を行った場合である。また、遷移条件（ｆ）における着信確認操作は、例えば着信不応答だったことが表示部１９に表示された内容をユーザが確認して、自端末１０に設けられた電源ボタンを押下する行為等が該当する。
【００３９】
また、着信モード切替正確さ状態情報が「正確状態に遷移する」場合とは、遷移条件（ｇ）としてユーザが着信モードの切替を適切に行った場合である。なお、図４に示した着信モード切替正確さ状態情報の遷移条件と遷移効果との関係は、制御部１８の着信モード切替正確さ状態情報更新部１８ｆの動作において予め規定されていることが好ましいが、記憶部１６の例えば着信モード切替正確さ状態情報記憶部１６ｂに記憶されても良い。
【００４０】
着信通知動作関連情報記憶部１６ｃは、図５に示す着信通知動作関連情報ＲＢを記憶している。着信通知動作関連情報ＲＢは、着信モード状態情報と、着信モード切替正確さ状態情報と、当該着信モード状態情報及び着信モード切替正確さ状態情報とに対応する着信通知動作情報とが関連付けられた情報である。各着信通知動作関連情報ＲＢの詳細な内容について説明する。
【００４１】
着信モード状態情報が「通常モード」で着信モード切替正確さ状態情報が「正確状態」である場合には、着信通知動作情報は「通常モードの状態で着信する」ことである。また、着信モード状態情報が「通常モード」で着信モード切替正確さ状態情報が「不正確状態１」である場合には、着信通知動作情報は「通常モードの状態で着信すると共に、着信モードを確認する旨の指示内容を表示部１９に表示する」ことである。また、着信モード状態情報が「通常モード」で着信モード切替正確さ状態情報が「不正確状態２」である場合には、着信通知動作情報は「通常モードの状態及びマナーモードの状態で着信すると共に、着信モードを確認する旨の指示内容を表示部１９に表示する」ことである。通常モードの状態及びマナーモードの状態で着信する状態とは、例えば、着信通知動作部１７の呼び出し音出力部１７ｘが着信音を鳴動すると共に、着信通知動作部１７のバイブレータ部１７ｙが振動する状態である。また、着信モード状態情報が「通常モード」で着信モード切替正確さ状態情報が「不正確状態３」である場合には、着信通知動作情報は「通常モードの状態及びマナーモードの状態で着信し、一定時間後に通常モードの状態における着信音の鳴動を中止して消音状態に制御すると共に、着信モードを確認する旨の指示内容を表示部１９に表示する」ことである。また、着信モード状態情報が「通常モード」で着信モード切替正確さ状態情報が「不正確状態４」である場合には、着信通知動作情報は「マナーモードの状態で着信すると共に、着信モードを確認する旨の指示内容を表示部１９に表示する」ことである。
【００４２】
また、着信モード状態情報が「マナーモード」で着信モード切替正確さ状態情報が「正確状態」である場合には、着信通知動作情報は「マナーモードの状態で着信する」ことである。また、着信モード状態情報が「マナーモード」で着信モード切替正確さ状態情報が「不正確状態１」である場合には、着信通知動作情報は「マナーモードの状態で着信すると共に、着信モードを確認する旨の指示内容を表示部１９に表示する」ことである。また、着信モード状態情報が「マナーモード」で着信モード切替正確さ状態情報が「不正確状態２」である場合には、着信通知動作情報は「マナーモードの状態で着信し、一定時間後にマナーモードの状態から通常モードの状態で着信すると共に、着信モードを確認する旨の指示内容を表示部１９に表示する」ことである。また、着信モード状態情報が「マナーモード」で着信モード切替正確さ状態情報が「不正確状態３」である場合には、着信通知動作情報は「マナーモードの状態及び通常モードの状態で着信すると共に、着信モードを確認する旨の指示内容を表示部１９に表示する」ことである。また、着信モード状態情報が「マナーモード」で着信モード切替正確さ状態情報が「不正確状態４」である場合には、着信通知動作情報は「通常モードの状態で着信する」ことである。
【００４３】
着信通知動作情報記憶部１６ｄは、自端末１０の現時点における着信通知動作情報を記憶する。この着信通知動作情報は制御部１８の着信通知動作判定部１８ｃにより判定され、着信通知動作更新部１８ｄにより更新される。着信通知動作情報は、前述した図５に示した様に、着信モード状態情報と着信モード切替正確さ状態情報とに応じて着信通知動作判定部１８ｃにより判定された情報である。
【００４４】
次に、制御部１８について説明する。制御部１８は、自端末１０Ａに内蔵されるＣＰＵ、ＤＳＰ、ＲＯＭ、ＲＡＭ等で構成され、図２に示す様に、着信モード状態情報取得部１８ａと、着信モード切替正確さ状態情報取得部１８ｂと、着信通知動作判定部１８ｃと、着信通知動作更新部１８ｄと、着信通知動作制御部１８ｅと、着信モード切替正確さ状態情報更新部１８ｆとを備える。各部１８ａ〜１８ｆについて説明する。
【００４５】
着信モード状態情報取得部１８ａは、自端末１０が発信者端末２からの呼び出し信号を無線基地局１から受信した際、無線通信部１２により出力された着信検出信号を入力する。着信モード状態情報取得部１８ａは、この着信検出信号の入力に基づいて、着信モード状態情報記憶部１６ａから当該着信検出信号の入力時点である現時点の着信モード状態情報を取得する。着信モード状態情報取得部１８ａは、当該着信モード状態情報を取得した旨の情報、及び当該取得された着信モード状態情報を着信モード切替正確さ状態情報取得部１８ｂに出力する。
【００４６】
着信モード切替正確さ状態情報取得部１８ｂは、着信モード状態情報取得部１８ａにより出力された各情報の入力に基づいて、着信モード切替正確さ状態情報記憶部１６ｂから当該着信検出信号の入力時点である現時点の着信モード切替正確さ状態情報を取得する。着信モード切替正確さ状態情報取得部１８ｂは、当該着信モード切替正確さ状態情報を取得した旨の情報、及び、当該着信モード状態情報と着信モード切替正確さ状態情報とを着信通知動作判定部１８ｃに出力する。
【００４７】
着信通知動作判定部１８ｃは、着信モード切替正確さ状態情報取得部１８ｂにより出力された各情報の入力に基づいて、着信通知動作関連情報記憶部１６ｃに記憶されている着信通知動作関連情報ＲＢを参照して、前述した着信モード状態情報と着信モード切替正確さ状態情報とに対応する着信通知動作情報を判定する。着信通知動作判定部１８ｃは、当該着信通知動作情報を判定した旨の情報、及び当該判定された着信通知動作情報を着信通知動作更新部１８ｄに出力する。
【００４８】
着信通知動作更新部１８ｄは、着信通知動作判定部１８ｃにより出力された各情報の入力に基づいて、当該入力された着信通知動作情報を着信通知動作情報記憶部１６ｄに更新する。着信通知動作更新部１８ｄは、当該着信通知動作情報を更新した旨の情報を着信通知動作制御部１８ｅに出力する。
【００４９】
着信通知動作制御部１８ｅは、着信通知動作更新部１８ｄにより出力された情報の入力に基づいて、着信通知動作情報記憶部１６ｄから着信通知動作更新部１８ｄにより入力された時点における現時点の着信通知動作情報を取得する。着信通知動作制御部１８ｅは、当該取得された着信通知動作情報に基づいて、当該着信通知動作情報に対応する着信通知動作を着信通知動作部１７に実行させるための着信通知動作信号を着信通知動作部１７に出力する。
【００５０】
なお、着信モード切替正確さ状態情報取得部１８ｂにより取得された着信モード切替正確さ状態情報が「正確状態」である場合には、着信通知動作関連情報ＲＢ（図５参照）によれば着信通知動作情報は当該着信モード状態情報に応じた着信通知動作のみを行うことを示す。例えば、図５に示す着信通知動作関連情報ＲＢでは、着信モード状態情報が「通常モード」であり着信モード切替正確さ状態情報が「正確状態」である場合には、着信通知動作情報は着信モード状態情報に対応した「通常モードの状態で着信すること」である。また、着信モード状態情報が「マナーモード」であり着信モード切替正確さ状態情報が「正確状態」である場合には、着信通知動作情報は着信モード状態情報に対応した「マナーモードの状態で着信すること」である。従って、着信モード切替正確さ状態情報取得部１８ｂは、着信モード切替正確さ状態情報取得部１８ｂにより取得された着信モード切替正確さ状態情報が「正確状態」である場合には、当該着信モード切替正確さ状態情報が「正確状態」である旨の情報、及び着信モード状態情報を着信通知動作制御部１８ｅに出力する。着信通知動作制御部１８ｅは、着信モード切替正確さ状態情報取得部１８ｂにより出力された各情報の入力に基づいて、当該着信モード状態情報に対応した着信通知動作を着信通知動作部１７に実行させるための着信通知動作信号を着信通知動作部１７に出力する。
【００５１】
着信モード切替正確さ状態情報更新部１８ｆは、図４に示した遷移条件（ａ）〜（ｇ）に該当する様な入力操作信号を操作部１５から入力されたか否かを判定する。着信モード切替正確さ状態情報更新部１８ｆは、当該入力操作信号が入力されたと判定した場合には、当該入力操作信号に対応するいずれかの遷移条件が満たされたとして当該遷移条件に対応した着信モード切替正確さ状態情報を更新する。着信モード切替正確さ状態情報更新部１８ｆは、当該更新された着信モード切替正確さ状態情報を着信モード切替正確さ状態情報記憶部１６ｂに記憶する。
【００５２】
２．第１の実施形態の自端末を含む移動体通信システムの動作
図６は、第１の実施形態の自端末１０の動作を説明するフローチャートである。以下のフローチャートは、自端末１０が無線基地局１から発信者端末２からの発信に対応する呼び出し信号を受信した場合の自端末１０の動作を説明したものである。また、前述した様に、着信モード状態情報記憶部１６ａには、当該受信された呼び出し信号に対応する着信検出信号の制御部１８への入力時点における着信モード状態情報が記憶されている。更に、前述した様に、着信モード切替正確さ状態情報記憶部１６ｂには、当該受信された呼び出し信号に対応する着信検出信号の制御部１８への入力時点における着信モード切替正確さ状態情報が記憶されている。更に、前述した様に、着信通知動作情報記憶部１６ｄには、当該受信された呼び出し信号に対応する着信検出信号の制御部１８への入力時点における着信通知動作情報が記憶されている。
【００５３】
図６において、着信モード状態情報取得部１８ａは、自端末１０が発信者端末２からの呼び出し信号を無線基地局１から受信した場合に、無線通信部１２により出力された着信検出信号を入力する（Ｓ１１、ＹＥＳ）。着信モード状態情報取得部１８ａは、この着信検出信号の入力に基づいて、着信モード状態情報記憶部１６ａから当該着信検出信号の入力時点である現時点の着信モード状態情報を取得する（Ｓ１２）。着信モード状態情報取得部１８ａは、当該着信モード状態情報を取得した旨の情報、及び当該取得された着信モード状態情報を着信モード切替正確さ状態情報取得部１８ｂに出力する。
【００５４】
着信モード切替正確さ状態情報取得部１８ｂは、着信モード状態情報取得部１８ａにより出力された各情報の入力に基づいて、着信モード切替正確さ状態情報記憶部１６ｂから当該着信検出信号の入力時点である現時点の着信モード切替正確さ状態情報を取得する（Ｓ１３）。ここで、着信モード切替正確さ状態情報取得部１８ｂは、当該取得された着信モード切替正確さ状態情報が「正確状態」であるか否かを判定する（Ｓ１４）。
【００５５】
ステップＳ１４において当該着信モード切替正確さ状態情報が「正確状態」であると判定された場合には（Ｓ１４、ＹＥＳ）、着信モード切替正確さ状態情報取得部１８ｂは、当該着信モード切替正確さ状態情報が「正確状態」である旨の情報を着信通知動作制御部１８ｅに出力する。この場合、着信通知動作制御部１８ｅは、着信モード切替正確さ状態情報取得部１８ｂにより出力された情報の入力に基づいて、着信通知動作記憶部１６ｄから着信通知動作情報を取得する。更に、着信通知動作制御部１８ｅは、当該取得された着信通知動作を着信通知動作部１７に実行させるための着信通知動作信号を着信通知動作部１７に出力し（Ｓ１８）、図６のフローチャートは終了する。なお、着信通知動作部１７は、着信通知動作制御部１８ｅにより出力された着信通知動作信号に従って、着信通知動作判定部１８ｃにより判定された着信通知動作情報に対応する着信通知動作を実行する。
【００５６】
ステップＳ１４において当該着信モード切替正確さ状態情報が「正確状態」でないと判定された場合には（Ｓ１４、ＮＯ）、着信モード切替正確さ状態情報取得部１８ｂは、当該着信モード切替正確さ状態情報を取得した旨の情報、及び、当該ステップＳ１２により取得された着信モード状態情報とステップＳ１３により取得された着信モード切替正確さ状態情報とを着信通知動作判定部１８ｃに出力する。
【００５７】
着信通知動作判定部１８ｃは、着信モード切替正確さ状態情報取得部１８ｂにより出力された各情報の入力に基づいて、着信通知動作関連情報記憶部１６ｃに記憶されている着信通知動作関連情報ＲＢを参照して取得する（Ｓ１５）。着信通知動作判定部１８ｃは、当該取得された着信通知動作関連情報ＲＢに基づいて、着信モード切替正確さ状態情報取得部１８ｂにより出力された着信モード状態情報及び着信モード切替正確さ状態情報に対応する着信通知動作情報を判定する（Ｓ１６）。着信通知動作判定部１８ｃは、当該着信通知動作情報を判定した旨の情報、及び当該判定された着信通知動作情報を着信通知動作更新部１８ｄに出力する。
【００５８】
着信通知動作更新部１８ｄは、着信通知動作判定部１８ｃにより出力された各情報の入力に基づいて、当該入力された着信通知動作情報を着信通知動作情報記憶部１６ｄに更新する（Ｓ１７）。着信通知動作更新部１８ｄは、当該着信通知動作情報を更新した旨の情報を着信通知動作制御部１８ｅに出力する。
【００５９】
着信通知動作制御部１８ｅは、着信通知動作更新部１８ｄにより出力された情報の入力に基づいて、着信通知動作情報記憶部１６ｄから着信通知動作更新部１８ｄにより入力された時点における現時点の着信通知動作情報を取得する。着信通知動作制御部１８ｅは、当該取得された着信通知動作情報に基づいて、当該着信通知動作情報に対応する着信通知動作を着信通知動作部１７に実行させるための着信通知動作信号を着信通知動作部１７に出力すし（Ｓ１８）、図６のフローチャートは終了する。なお、着信通知動作部１７は、着信通知動作制御部１８ｅにより出力された着信通知動作信号に従って、着信通知動作判定部１８ｃにより判定された着信通知動作情報に対応する着信通知動作を実行する。
【００６０】
以上により、第１の実施形態の自端末１０は、当該自端末１０の着信モード状態情報に応じた着信通知動作を行うのではなく、当該着信モード状態情報と着信モード切替正確さ状態情報とを考慮した着信通知動作関連情報ＲＢに応じた着信通知動作を実行する。従って、当該自端末１０によれば、従来の携帯電話機に比べて、自端末１０に対して着信が発生したときにユーザが当該着信を認知する確率である着信認知確率を格段に向上することができる。特に、着信モード切替正確さ状態情報は、正確状態、不正確状態１、不正確状態２、不正確状態３、不正確状態４という様に、ユーザが着信モードの切替操作を適切に行っているか否かを反映した指標として複数の段階に設けられている。
【００６１】
これにより、自端末１０は、着信モード切替正確さ状態情報のいずれかの状態、即ちユーザの着信モードの切替の正確さを反映した状態に応じた多様な着信通知動作をユーザに提示することができる。従って、当該自端末１０によれば、ユーザの着信モードの習慣的な切替操作を考慮に入れた着信通知動作の実行により、ユーザの自端末１０に対する着信の存在を認知する可能性を格段に向上させることができる。
【００６２】
（第２の実施形態）
３．第２の実施形態の自端末及び他端末を含む移動体通信システムの構成
図７は、第２の実施形態の自端末１０Ａ及び他端末１０Ｂを含む移動体通信システムの内容を示す説明図である。この移動体通信システムは、移動体通信網として例えば携帯電話網又はＰＨＳ（Personal Handy-phone System）網の無線基地局１と、発信者側の携帯電話機である発信者端末２と、着信者側の携帯電話機である自端末１０Ａと、当該自端末１０Ａからの要求に基づいて当該発信者端末２からの呼び出しに応じて擬似的に着信する他端末１０Ｂとにより構成されている。また、発信者端末２、自端末１０Ａ及び他端末１０Ｂは、それぞれ無線基地局１との間で無線通信を実行する。
【００６３】
前述した第１の実施形態では、単一の自端末１０が、発信者端末２からの呼び出し信号を受信した場合に、当該自端末１０における着信モード状態情報と着信モード切替正確さ状態情報とに対応する着信通知動作を実行した。第２の実施形態では、自端末１０Ａは、第１の実施形態と同様に、発信者端末２からの呼び出し信号を受信した場合に、当該自端末１０Ａの着信モード状態情報と着信モード切替正確さ状態情報とに対応する着信通知動作を実行する。更に、自端末１０Ａは、当該自端末１０Ａの周囲に存在する他端末１０Ｂに対し、当該発信者端末２からの呼び出し信号に応じた擬似着信を実行するように要求する。他端末１０Ｂは、自端末１０Ａの要求に基づいて、当該他端末１０Ｂの動作状態に応じた擬似着信通知動作を実行する。
【００６４】
自端末１０Ａの構成について説明する。図７に示す様に、自端末１０Ａは、アンテナ１１Ａと、無線通信部１２Ａと、マイク１３Ａと、スピーカ１４Ａと、操作部１５Ａと、記憶部１６Ａと、着信通知動作部１７Ａと、制御部１８Ａと、表示部１９Ａと、内部時計２０Ａとを備える。自端末１０Ａの構成は、記憶部１６Ａ及び制御部１８Ａを除く他の各部が第１の実施形態の自端末１０の記憶部１６及び制御部１８を除く対応する各部と同一であるため、当該同一内容の説明は省略する。なお、記憶部１６Ａと制御部１８Ａとの説明は後述する。
【００６５】
他端末１０Ｂの構成について説明する。図７に示す様に、他端末１０Ｂは、アンテナ１１Ｂと、無線通信部１２Ｂと、マイク１３Ｂと、スピーカ１４Ｂと、操作部１５Ｂと、記憶部１６Ｂと、着信通知動作部１７Ｂと、制御部１８Ｂと、表示部１９Ｂと、内部時計２０Ｂとを備える。他端末１０Ｂの構成は、記憶部１６Ｂ及び制御部１８Ｂを除く他の各部が第１の実施形態の自端末１０の記憶部１６及び制御部１８を除く対応する各部と同一であるため、当該同一内容の説明は省略する。なお、記憶部１６Ｂと制御部１８Ｂとの説明は後述する。また、他端末１０Ｂの着信通知動作部１７Ｂは、後述する制御部１８Ｂの擬似着信通知動作制御部１８Ｂｊにより出力された擬似着信通知動作信号に従って、当該制御部１８Ｂにより判定された擬似着信通知動作を実行する。
【００６６】
図８は、第２の実施形態の自端末１０Ａの記憶部１６Ａ及び制御部１８Ａの内部構成を示すブロック図である。記憶部１６Ａ及び制御部１８Ａについて図８を参照して説明する。
【００６７】
先ず、記憶部１６Ａについて説明する。記憶部１６Ａは、自端末１０Ａに内蔵されるＲＯＭ、ＲＡＭ、ハードディスク、又はフラッシュメモリ等の記憶媒体で構成され、図８に示す様に、着信モード状態情報記憶部１６Ａａと、着信モード切替正確さ状態情報記憶部１６Ａｂと、着信通知動作関連情報記憶部１６Ａｃと、着信通知動作情報記憶部１６Ａｄとを備える。
【００６８】
着信モード状態情報記憶部１６Ａａは図２に示した着信モード状態情報記憶部１６ａと同様であるため、当該着信モード状態情報記憶部１６Ａａの説明は省略する。また、着信モード切替正確さ状態情報記憶部１６Ａｂは図２に示した着信モード切替正確さ状態情報記憶部１６ｂと同様であるため、当該着信モード状態情報記憶部１６Ａａの説明は省略する。また、着信通知動作関連情報記憶部１６Ａｃは図２に示した着信通知動作関連情報記憶部１６ｃと同様であるため、当該着信通知動作関連情報記憶部１６Ａｃの説明は省略する。また、着信通知動作情報記憶部１６Ａｄは、図２に示した着信通知動作情報記憶部１６ｄと同様であるため、当該着信通知動作情報記憶部１６Ａｄの説明は省略する。
【００６９】
次に、制御部１８Ａについて説明する。制御部１８Ａは、自端末１０Ａに内蔵されるＣＰＵ、ＤＳＰ、ＲＯＭ、ＲＡＭ等で構成され、図８に示す様に、着信モード状態情報取得部１８Ａａと、着信モード切替正確さ状態情報取得部１８Ａｂと、着信通知動作判定部１８Ａｃと、着信通知動作更新部１８Ａｄと、着信通知動作制御部１８Ａｅと、着信モード切替正確さ状態情報更新部１８Ａｆと、自端末通信制御部１８Ａｇとを備える。各部１８Ａａ〜１８Ａｇについて説明する。
【００７０】
着信モード状態情報取得部１８Ａａは図２に示した着信モード状態情報取得部１８ａと同様であるため、当該着信モード状態情報取得部１８Ａａの説明は省略する。また、着信通知動作判定部１８Ａｃは図２に示した着信通知動作判定部１８ｃと同様であるため、当該着信通知動作判定部１８Ａｃの説明は省略する。また、着信通知動作更新部１８Ａｄは図２に示した着信通知動作更新部１８ｄと同様であるため、当該着信通知動作更新部１８Ａｄの説明は省略する。また、着信通知動作制御部１８Ａｅは図２に示した着信通知動作制御部１８ｅと同様であるため、当該着信通知動作制御部１８Ａｅの説明は省略する。また、着信モード切替正確さ状態情報更新部１８Ａｆは図２に示した着信モード切替正確さ状態情報１８ｆと同様であるため、当該着信モード切替正確さ状態情報更新部１８Ａｆの説明は省略する。
【００７１】
着信モード切替正確さ状態情報判定部１８Ａｂは、着信モード状態情報取得部１８Ａａにより出力された各情報の入力に基づいて、着信モード切替正確さ状態情報記憶部１６Ａｂから当該着信検出信号の入力時点である現時点の着信モード切替正確さ状態情報を取得する。着信モード切替正確さ状態情報取得部１８Ａｂは、当該着信モード切替正確さ状態情報を取得した旨の情報、及び、当該着信モード状態情報と着信モード切替正確さ状態情報とを着信通知動作判定部１８Ａｃに出力する。更に、着信モード切替正確さ状態情報判定部１８Ａｂは、当該着信検出信号の入力時点である現時点の着信モード切替正確さ状態情報を取得した後、自端末１０Ａの周囲に他端末１０Ｂが存在するか否かの確認を自端末通信制御部１８Ａｇに要求する。
【００７２】
自端末通信制御部１８Ａｇは、着信モード切替正確さ状態情報判定部１８Ａｂの要求に基づいて、又は、着信通知動作更新部１８Ａｄにより出力された着信通知動作を更新した旨の情報の入力に基づいて、所定の無線信号を送受信することにより自端末１０Ａの周囲に他端末１０Ｂが存在するか否かを、無線通信部１２Ａを介して判定する。ここで、他端末１０Ｂが当該自端末１０Ａの周囲に存在する場合には、当該他端末１０Ｂは、当該他端末１０Ｂが自端末１０Ａの周囲に存在することを示す信号を自端末１０Ａに送信する。この場合、自端末１０Ａは、当該他端末１０Ｂにより送信された信号を無線通信部１２Ａにより受信する。無線通信部１２Ａは、当該受信された信号を自端末通信制御部１８Ａｇに出力する。この様な自端末１０Ａと他端末１０Ｂとの通信は、例えば近距離における無線通信であるＢｌｕｅｔｏｏｔｈ（登録商標）、赤外線通信（ＩｒＤＡ）、又は無線ＬＡＮ等により実現可能である。従って、自端末１０Ａと、自端末１０Ａの周囲に存在する他端末１０Ｂとの距離は、前述した無線通信、赤外線通信又は無線ＬＡＮ等による通信が実現可能な距離であることが好ましい。以下の実施形態においても同様である。
【００７３】
また、自端末通信制御部１８Ａｇは、前述した他端末１０Ｂが自端末１０Ａの周囲に存在することを示す信号の入力に基づいて、発信者端末２からの呼び出し信号に対応した着信検出信号に対する着信を当該他端末１０Ｂに擬似的に実行させるための要求信号を、無線通信部１２Ａを介して他端末１０Ｂに送信する。なお、この要求信号には、発信者端末２の発信者番号が含まれているものとする。
【００７４】
図９は、第２の実施形態の他端末１０Ｂの記憶部１６Ｂ及び制御部１８Ｂの内部構成を示すブロック図である。記憶部１６Ｂ及び制御部１８Ｂについて図９を参照して説明する。
【００７５】
先ず、記憶部１６Ｂについて説明する。記憶部１６Ｂは、自端末１０Ｂに内蔵されるＲＯＭ、ＲＡＭ、ハードディスク、又はフラッシュメモリ等の記憶媒体で構成され、図９に示す様に、着信モード状態情報記憶部１６Ｂａと、擬似着信通知動作関連情報記憶部１６Ｂｅとを備える。
【００７６】
着信モード状態情報記憶部１６Ｂａは図２に示した記憶部１６の着信モード状態情報記憶部１６ａと同様であるため、当該着信モード状態情報記憶部１６Ｂａの説明は省略する。
【００７７】
擬似着信通知動作関連情報記憶部１６Ｂｅは、図１０に示す擬似着信通知動作関連情報ＲＣを記憶している。擬似着信通知動作関連情報ＲＣは、他端末１０Ｂの動作状態と、自端末１０Ａからの要求に応じて当該他端末１０Ｂの動作状態に対応して実行する擬似着信通知動作情報とが関連付けられた情報である。他端末１０Ｂの動作状態には、例えば待ち受け中（アイドル状態）、使用中、通話中、及び着信中がある。なお、他端末１０Ｂは電源が入っているものとする。使用中は、例えば他端末１０Ｂにおいてユーザがネットワークを介してＷｅｂサイトを閲覧している場合、ＤＴＶ（Digital Television）放送内容等を視聴している場合、写真又はメール本文を閲覧している場合、又は、音楽データを再生している場合等が該当する。各着信通知動作関連情報ＲＣの内容について説明する。
【００７８】
他端末１０Ｂが「待ち受け中」である場合には、擬似着信通知動作情報は「他端末１０Ｂの着信モード状態情報に応じて擬似着信すると共に、自端末情報及び発信者番号情報を表示部１９に表示する」ことである。ここで、他端末１０Ｂの着信モード状態情報に応じた擬似着信とは、当該着信モード状態情報が「通常モード」である場合には擬似着信として通常モードで着信することであり、当該着信モード状態情報が「マナーモード」である場合には擬似着信としてマナーモードで着信することである。また、他端末１０Ｂが「使用中」の場合には、擬似着信通知動作情報は「他端末１０Ｂの着信モード状態情報に応じて擬似着信すると共に、自端末情報及び発信者番号情報を表示部１９に表示する」ことである。また、自端末情報とは、例えば自端末１０Ａのユーザ情報であって、例えば氏名等である。
【００７９】
また、他端末１０Ｂが「通話中」である場合には、擬似着信通知動作情報は「所定の割込み音を出力すると共に、自端末情報及び発信者番号情報を表示部１９に表示する」ことである。また、所定の割込み音の出力に関しては、他端末１０Ｂにおいて擬似着信通知動作関連情報ＲＣとして設定されている場合に実行されることが好ましい。また、他端末１０Ｂが「着信中」である場合には、擬似着信通知動作情報は「自端末情報及び発信者番号情報を表示部１９に表示する」ことである。
【００８０】
次に、制御部１８Ｂについて説明する。制御部１８Ｂは、他端末１０Ｂに内蔵されるＣＰＵ、ＤＳＰ、ＲＯＭ、ＲＡＭ等で構成され、図９に示す様に、着信モード状態情報取得部１８Ｂａと、擬似着信通知動作判定部１８Ｂｉと、他端末通信制御部１８Ｂｇと、動作状態監視部１８Ｂｈと、擬似着信通知動作制御部１８Ｂｊとを備える。各部について説明する。
【００８１】
着信モード状態情報取得部１８Ｂａは、他端末通信制御部１８Ｂｇが前述した他端末１０Ｂが自端末１０Ａの周囲に存在することを示す信号を自端末１０Ａに送信した後、他端末１０Ｂの着信モード状態情報を取得する旨の要求情報を他端末通信制御部１８Ｂｇから入力する。着信モード状態情報取得部１８Ｂａは、他端末通信制御部１８Ｂｇにより出力された当該要求情報の入力に基づいて、着信モード状態情報記憶部１６Ｂａから当該要求情報の入力時点である現時点の着信モード状態情報を取得する。着信モード状態情報取得部１８Ｂａは、当該着信モード状態情報を取得した旨の情報、及び当該取得された着信モード状態情報を着信通知動作判定部１８Ｂｃに出力する。
【００８２】
擬似着信通知動作判定部１８Ｂｉは、前述した擬似着信の要求信号を自端末１０Ａから受信した後、擬似着信通知動作の内容を判定する旨の要求情報を他端末通信制御部１８Ｂｇから入力する。着信通知動作判定部１８Ｂｃは、他端末通信制御部１８Ｂｇにより出力された当該要求情報、着信モード状態情報取得部１８Ｂａにより出力された着信モード状態情報及び動作状態監視部１８Ｂｈにより出力された動作状態情報の入力に基づいて、擬似着信通知動作関連情報記憶部１６Ｂｅから当該着信モード状態情報に対応する擬似着信通知動作情報を判定する。擬似着信通知動作判定部１８Ｂｉは、当該判定された擬似着信通知動作情報を擬似着信通知動作制御部１８Ｂｊに出力する。
【００８３】
他端末通信制御部１８Ｂｇは、他端末１０Ｂが自端末１０Ａの周囲に存在するか否かを確認する旨の信号を自端末１０Ａから受信した場合に、当該他端末１０Ｂが当該自端末１０Ａの周囲に存在するときに当該信号に対する応答として、他端末１０Ｂが自端末１０Ａの周囲に存在することを示す信号を、無線通信部１２Ｂを介して自端末１０Ａに送信する。また、他端末通信制御部１８Ｂｇは、当該信号を自端末１０Ａに送信した後、現時点における他端末１０Ｂの着信モード状態情報を取得する旨の要求情報を着信モード状態情報取得部１８Ｂａに出力する。
【００８４】
また、他端末通信制御部１８Ｂｇは、他端末１０Ｂに擬似着信を実行させるための要求信号を自端末１０Ａから受信した場合に、当該信号に対応する擬似着信通知動作を判定するための要求情報を擬似着信通知動作判定部１８Ｂｉに出力する。
【００８５】
動作状態監視部１８Ｂｈは、他端末１０Ｂの動作状態を常時又は所定の周期で監視すると共に、当該監視によって他端末１０Ｂの動作状態に関する動作状態情報を着信通知動作判定部１８Ｂｃに出力する。
【００８６】
擬似着信通知動作制御部１８Ｂｊは、擬似着信通知動作判定部１８Ｂｉにより出力された擬似着信通知動作情報の入力に基づいて、当該擬似着信通知動作情報に対応する擬似着信通知動作を着信通知動作部１７Ｂに実行させるための擬似着信通知動作信号を着信通知動作部１７Ｂに出力する。
【００８７】
４．第２の実施形態の自端末の動作
図１１は、第２の実施形態の自端末１０Ａの動作を説明するフローチャートである。以下のフローチャートは、自端末１０Ａが無線基地局１から発信者端末２からの発信に対応する呼び出し信号を受信した場合の自端末１０Ａの動作を説明したものである。また、前述した様に、着信モード状態情報記憶部１６Ａａには、当該受信された呼び出し信号に対応する着信検出信号の制御部１８Ａへの入力時点における着信モード状態情報が記憶されている。更に、前述した様に、着信モード切替正確さ状態情報記憶部１６Ａｂには、当該受信された呼び出し信号に対応する着信検出信号の制御部１８Ａへの入力時点における着信モード切替正確さ状態情報が記憶されている。更に、前述した様に、着信通知動作情報記憶部１６Ａｄには、当該受信された呼び出し信号に対応する着信検出信号の制御部１８Ａへの入力時点における着信通知動作情報が記憶されている。
【００８８】
図１１において、着信モード状態情報取得部１８Ａａは、自端末１０Ａが発信者端末２からの呼び出し信号を無線基地局１から受信した場合に、無線通信部１２Ａにより出力された着信検出信号を入力する（Ｓ２１、ＹＥＳ）。着信モード状態情報取得部１８Ａａは、この着信検出信号の入力に基づいて、着信モード状態情報記憶部１６Ａａから当該着信検出信号の入力時点である現時点の着信モード状態情報を取得する（Ｓ２２）。着信モード状態情報取得部１８Ａａは、当該着信モード状態情報を取得した旨の情報、及び当該取得された着信モード状態情報を着信モード切替正確さ状態情報取得部１８Ａｂに出力する。
【００８９】
着信モード切替正確さ状態情報取得部１８Ａｂは、着信モード状態情報取得部１８Ａａにより出力された各情報の入力に基づいて、着信モード切替正確さ状態情報記憶部１６Ａｂから当該着信検出信号の入力時点である現時点の着信モード切替正確さ状態情報を取得する（Ｓ２３）。ここで、着信モード切替正確さ状態情報取得部１８Ａｂは、当該取得された着信モード切替正確さ状態情報が「正確状態」であるか否かを判定する（Ｓ２４）。
【００９０】
ステップＳ２４において当該着信モード切替正確さ状態情報が「正確状態」でないと判定された場合には（Ｓ２４、ＮＯ）、着信モード切替正確さ状態情報取得部１８Ａｂは、当該着信モード切替正確さ状態情報を取得した旨の情報、及び、当該ステップＳ２２により取得された着信モード状態情報とステップＳ２３により取得された着信モード切替正確さ状態情報とを着信通知動作判定部１８Ａｃに出力する。
【００９１】
着信通知動作判定部１８Ａｃは、着信モード切替正確さ状態情報取得部１８Ａｂにより出力された各情報の入力に基づいて、着信通知動作関連情報記憶部１６Ａｃに記憶されている着信通知動作関連情報ＲＢを参照して取得する（Ｓ２５）。着信通知動作判定部１８Ａｃは、当該取得された着信通知動作関連情報ＲＢに基づいて、着信モード切替正確さ状態情報取得部１８Ａｂにより出力された着信モード状態情報及び着信モード切替正確さ状態情報）に対応する着信通知動作情報を判定する（Ｓ２６）。着信通知動作判定部１８Ａｃは、当該着信通知動作情報を判定した旨の情報、及び当該判定された着信通知動作情報を着信通知動作更新部１８Ａｄに出力する。
【００９２】
着信通知動作更新部１８Ａｄは、着信通知動作判定部１８Ａｃにより出力された各情報の入力に基づいて、当該入力された着信通知動作情報を着信通知動作情報記憶部１６Ａｄに更新する（Ｓ２７）。着信通知動作更新部１８Ａｄは、当該着信通知動作情報を更新した旨の情報を着信通知動作制御部１８Ａｅに出力する。
【００９３】
ステップＳ２４において当該着信モード切替正確さ状態情報が「正確状態」であると判定された場合（Ｓ２４、ＹＥＳ）、又は、ステップＳ２７の後、自端末通信制御部１８Ａｇは、自端末１０Ａの周囲に他端末１０Ｂが存在するか否かを判定する（Ｓ２８）。具体的には、自端末通信制御部１８Ａｇは、自端末１０Ａの周囲に他端末１０Ｂが存在するか否かを確認する信号を、無線通信部１２Ａを介して出力する。ここで、他端末１０Ｂが当該自端末１０Ａの周囲に存在する場合には、当該他端末１０Ｂは、当該信号に対する応答として、他端末１０Ｂが自端末１０Ａの周囲に存在する旨の信号を自端末１０Ａに送信する。
【００９４】
ステップＳ２８において他端末１０Ｂが自端末１０Ａの周囲に存在しない、即ち他端末１０Ｂから当該他端末１０Ｂが自端末１０Ａの周囲に存在する旨の信号を受信しなかった場合には（Ｓ２８、ＮＯ）、又は、後述するステップＳ２９の後、着信通知動作制御部１８Ａｅは、着信通知動作更新部１８Ａｄにより出力された情報の入力に基づいて、着信通知動作情報記憶部１６Ａｄから着信通知動作更新部１８Ａｄにより入力された時点における現時点の着信通知動作情報を取得する。着信通知動作制御部１８Ａｅは、当該取得された着信通知動作情報に基づいて、当該着信通知動作情報に対応する着信通知動作を着信通知動作部１７Ａに実行させるための着信通知動作信号を着信通知動作部１７Ａに出力する（Ｓ３０）。ステップＳ３０の後、図１１のフローチャートは終了する。
【００９５】
ステップＳ２８において他端末１０Ｂが自端末１０Ａの周囲に存在するとして他端末１０Ｂから当該他端末１０Ｂが自端末１０Ａの周囲に存在する旨の信号を受信した場合には（Ｓ２８、ＹＥＳ）、自端末通信制御部１８Ａｇは、当該信号の入力に基づいて、発信者端末２からの呼び出し信号に対応した着信検出信号に対する着信を当該他端末１０Ｂに擬似的に実行させるための擬似着信通知動作要求信号を、無線通信部１２Ａを介して他端末１０Ｂに送信する（Ｓ２９）。
【００９６】
５．第２の実施形態の他端末の動作
図１２は、第２の実施形態の他端末１０Ｂの動作を説明するフローチャートである。以下のフローチャートの内容は、他端末１０Ｂが自端末１０Ａから当該自端末１０Ａの周囲に他端末１０Ｂが存在するか否かを確認する旨の信号を受信した場合の他端末１０Ｂの動作を説明したものである。また、着信モード状態情報記憶部１６Ｂａには、他端末通信制御部１８Ｂｇにより出力された着信モード状態情報を取得する旨の要求情報の入力時点における着信モード状態情報が記憶されている。
【００９７】
図１２において、他端末通信制御部１８Ｂｇは、自端末１０Ａから当該自端末１０Ａの周囲に他端末１０Ｂが存在するか否かを確認する旨の信号を受信した場合に（Ｓ３１、ＹＥＳ）、当該信号に対する応答として、他端末１０Ｂが自端末１０Ａの周囲に存在する旨の信号を、無線通信部１２Ｂを介して自端末１１Ａに送信する（Ｓ３２）。また、他端末通信制御部１８Ｂｇは、当該信号を自端末１０Ａに送信した後、現時点における他端末１０Ｂの着信モード状態情報を取得する旨の要求情報を着信モード状態情報取得部１８Ｂａに出力する。
【００９８】
着信モード状態情報取得部１８Ｂａは、他端末通信制御部１８Ｂｇにより出力された要求情報の入力に基づいて、着信モード状態情報記憶部１６Ｂａから当該要求情報の入力時点である現時点の着信モード状態情報を取得する（Ｓ３３）。着信モード状態情報取得部１８Ｂａは、当該着信モード状態情報を取得した旨の情報、及び当該取得された着信モード状態情報を着信通知動作判定部１８Ｂｃに出力する。
【００９９】
他端末通信制御部１８Ｂｇは、自端末１０Ａから擬似着信の要求信号を受信した場合に（Ｓ３４、ＹＥＳ）、当該要求信号に対応する擬似着信通知動作を判定する旨の要求情報を擬似着信通知動作判定部１８Ｂｉに出力する。
【０１００】
動作状態監視部１８Ｂｈは、他端末１０Ｂの動作状態を監視することにより当該他端末１０Ｂの動作状態に関する動作状態情報を着信通知動作判定部１８Ｂｃに出力する（Ｓ３５）。
【０１０１】
擬似着信通知動作判定部１８Ｂｉは、他端末通信制御部１８Ｂｇにより出力された擬似着信通知動作を判定する旨の要求情報、着信モード状態情報取得部１８Ｂａにより出力された着信モード状態情報及び動作状態監視部１８Ｂｈにより出力された動作状態情報の入力に基づいて、擬似着信通知動作関連情報記憶部１６Ｂｅを参照して（Ｓ３６）、当該着信モード状態情報に対応する擬似着信通知動作情報を判定する（Ｓ３７）。擬似着信通知動作判定部１８Ｂｉは、当該判定された擬似着信通知動作情報を擬似着信通知動作制御部１８Ｂｊに出力する。
【０１０２】
擬似着信通知動作制御部１８Ｂｊは、擬似着信通知動作判定部１８Ｂｉにより出力された擬似着信通知動作情報の入力に基づいて、当該擬似着信通知動作情報に対応する擬似着信通知動作を着信通知動作部１７Ｂに実行させるための擬似着信通知動作信号を着信通知動作部１７Ｂに出力する（Ｓ３８）。なお、着信通知動作部１７Ｂは、擬似着信通知動作制御部１８Ｂｊにより出力された擬似着信通知動作信号に従って、擬似着信通知動作判定部１８Ｂｉにより判定された擬似着信通知動作情報に対応する擬似着信通知動作を実行する。
【０１０３】
以上により、第２の実施形態の自端末１０Ａは、第１の実施形態の自端末１０と同様に、当該自端末１０Ａの着信モード状態情報に応じた着信通知動作を行うのではなく、当該着信モード状態情報と着信モード切替正確さ状態情報とを考慮した着信通知動作関連情報ＲＢに応じた着信通知動作を実行する。従って、当該自端末１０Ａによれば、従来の携帯電話機に比べて、自端末１０に対して着信が発生したときにユーザが当該着信を認知する確率である着信認知確率を格段に向上することができる。特に、着信モード切替正確さ状態情報は、正確状態、不正確状態１、不正確状態２、不正確状態３、不正確状態４という様に、ユーザが着信モードの切替操作を適切に行っているか否かを反映した指標として複数の段階に設けられている。
【０１０４】
これにより、自端末１０は、着信モード切替正確さ状態情報のいずれかの状態、即ちユーザの着信モードの切替の正確さを反映した状態に応じた多様な着信通知動作をユーザに提示することができる。従って、当該自端末１０によれば、ユーザの着信モードの習慣的な切替操作を考慮に入れた着信通知動作の実行により、ユーザの自端末１０に対する着信の存在を認知する可能性を格段に向上させることができる。
【０１０５】
更に、自端末１０Ａは、当該自端末１０Ａの近距離通信が可能な範囲の周囲に他端末１０Ｂの存在を確認すると共に、当該他端末１０Ｂの存在が確認された場合には、発信者端末２から自端末１０Ａへの着信を他端末１０Ｂの動作状態に応じて擬似着信させる。これにより、自端末１０Ａ及び他端末１０Ｂによれば、発信者端末２から自端末１０Ａへ着信があった場合に、自端末１０Ａの着信通知動作が実行されると共に、自端末１０Ａの周囲に存在する他端末１０Ｂの擬似着信通知動作が実行される。このため、第１の実施形態の自端末１０に比べて、ユーザの自端末１０に対する着信の存在を認知する可能性をより格段に向上させることができる。
【０１０６】
（第３の実施形態）
６．第３の実施形態の自端末を含む移動体通信システムの構成
第３の実施形態の自端末１０Ａ及び他端末１０Ｂを含む移動体通信システムの構成は、前述した第２の実施形態の移動体通信システム（図７参照）と同様であるため、当該移動体通信システムの構成の説明は省略する。具体的には、第３の実施形態の自端末１０Ａは、第２の実施形態の自端末１０Ａの制御部及び記憶部の構成のみ異なり、当該制御部及び記憶部を除く他の各部の構成は同様である。また、第３の実施形態の他端末１０Ｂは、第２の実施形態の他端末１０Ｂの制御部及び記憶部の構成のみ異なり、当該制御部及び記憶部を除く他の各部の構成は同様である。
【０１０７】
前述した第２の実施形態では、自端末１０Ａは、発信者端末２からの呼び出し信号を受信した場合に、当該自端末１０Ａの着信モード状態情報と着信モード切替正確さ状態情報とに対応する着信通知動作を実行した。更に、自端末１０Ａは、当該自端末１０Ａの周囲に存在する他端末１０Ｂに対し、当該発信者端末２からの呼び出し信号に応じた擬似着信を実行するように要求した。他端末１０Ｂは、自端末１０Ａの要求に基づいて、当該他端末１０Ｂの動作状態に応じた擬似着信通知動作を実行した。第３の実施形態では、自端末１０Ａは、第２の実施形態の自端末１０Ａの動作に加え、他端末１０Ｂの着信モード切替正確さ状態情報を取得し、自端末１０Ａ及び他端末１０Ｂの各着信モード切替正確さ状態情報を比較して、「正確状態」である着信モード切替正確さ状態情報を有する端末の着信モード状態情報に応じた擬似着信通知動作を他端末１０Ｂに実行させる。更に、自端末１０Ａは、当該比較結果により自端末１０Ａではなく他端末１０Ｂが「正確状態」である着信モード切替正確さ状態情報を有する場合には、当該他端末１０Ｂの着信モード状態情報と自端末１０Ａにおける着信モード切替正確さ状態情報とに対応した着信通知動作を実行する。他端末１０Ｂは、自端末１０Ａにより判定された着信モード状態及び当該他端末１０Ｂの動作状態に応じた擬似着信通知動作を実行する。
【０１０８】
図１３は、第３の実施形態の自端末１０Ａの記憶部１６Ａ及び制御部１８Ａの内部構成を示すブロック図である。記憶部１６Ａ及び制御部１８Ａの詳細について図１３を参照して説明する。
【０１０９】
先ず、記憶部１６Ａについて説明する。記憶部１６Ａは、自端末１０Ａに内蔵されるＲＯＭ、ＲＡＭ、ハードディスク、又はフラッシュメモリ等の記憶媒体で構成され、図１３に示す様に、着信モード状態情報記憶部１６Ａａと、着信モード切替正確さ状態情報記憶部１６Ａｂと、着信通知動作関連情報記憶部１６Ａｃと、着信通知動作情報記憶部１６Ａｄとを備える。
【０１１０】
着信モード状態情報記憶部１６Ａａは図２に示した着信モード状態情報記憶部１６ａと同様であるため、当該着信モード状態情報記憶部１６Ａａの説明は省略する。また、着信モード切替正確さ状態情報記憶部１６Ａｂは図２に示した着信モード切替正確さ状態情報記憶部１６ｂと同様であるため、当該着信モード状態情報記憶部１６Ａａの説明は省略する。また、着信通知動作関連情報記憶部１６Ａｃは図２に示した着信通知動作関連情報記憶部１６ｃと同様であるため、当該着信通知動作関連情報記憶部１６Ａｃの説明は省略する。また、着信通知動作情報記憶部１６Ａｄは、図２に示した着信通知動作情報記憶部１６ｄと同様であるため、当該着信通知動作情報記憶部１６Ａｄの説明は省略する。
【０１１１】
次に、制御部１８Ａについて説明する。制御部１８Ａは、自端末１０Ａに内蔵されるＣＰＵ、ＤＳＰ、ＲＯＭ、ＲＡＭ等で構成され、図１３に示す様に、着信モード状態情報取得部１８Ａａと、着信モード切替正確さ状態情報取得部１８Ａｂと、着信通知動作判定部１８Ａｃと、着信通知動作更新部１８Ａｄと、着信通知動作制御部１８Ａｅと、着信モード切替正確さ状態情報更新部１８Ａｆと、自端末通信制御部１８Ａｇと、擬似着信通知動作判定部１８Ａｋとを備える。各部１８Ａａ〜１８Ａｇ及び１８Ａｋについて説明する。
【０１１２】
着信モード状態情報取得部１８Ａａは図２に示した着信モード状態情報記憶部１６ａと同様であるため、当該着信モード状態情報取得部１８Ａａの説明は省略する。また、着信モード切替正確さ状態情報取得部１８Ａｂは図８に示した着信モード切替正確さ状態情報取得部１８Ａｂと同様であるため、当該着信モード切替正確さ状態情報取得部１８Ａｂの説明は省略する。また、着信通知動作更新部１８Ａｄは図２に示した着信通知動作更新部１８ｄと同様であるため、当該着信通知動作更新部１８Ａｄの説明は省略する。また、着信通知動作制御部１８Ａｅは図２に示した着信通知動作制御部１８ｅと同様であるため、当該着信通知動作制御部１８Ａｅの説明は省略する。また、着信モード切替正確さ状態情報更新部１８Ａｆは図２に示した着信モード切替正確さ状態情報１８ｆと同様であるため、当該着信モード切替正確さ状態情報更新部１８Ａｆの説明は省略する。
【０１１３】
着信通知動作判定部１８Ａｃは、着信モード切替正確さ状態情報取得部１８Ａｂにより出力された各情報の入力に基づいて、着信通知動作関連情報記憶部１６Ａｃに記憶されている着信通知動作関連情報ＲＢを参照して、前述した着信モード状態情報と着信モード切替正確さ状態情報とに対応する着信通知動作情報を判定する。着信通知動作判定部１８Ａｃは、当該着信通知動作情報を判定した旨の情報、及び当該判定された着信通知動作情報を着信通知動作更新部１８Ａｄに出力する。また、着信通知動作判定部１８Ａｃは、後述する擬似着信通知動作判定部１８Ａｋの判定結果に基づいて自端末１０Ａの着信モードが変更される必要があるか否かを判定する。着信通知動作判定部１８Ａｃは、当該自端末１０Ａの着信モードの変更の必要があると判定された場合には、着信通知動作関連情報ＲＢを参照して、当該変更された着信モードに対応する着信モード状態情報と着信モード切替正確さ状態情報とに対応する着信通知動作情報を判定する。着信通知動作判定部１８Ａｃは、当該変更された着信通知動作情報を判定した旨の情報、及び当該判定された着信通知動作情報を着信通知動作更新部１８Ａｄに出力する。
【０１１４】
自端末通信制御部１８Ａｇは、着信モード切替正確さ状態情報判定部１８Ａｂの要求に基づいて、又は、着信通知動作更新部１８Ａｄにより出力された着信通知動作を更新した旨の情報の入力に基づいて、所定の無線信号を沿受信することにより自端末１０Ａの周囲に他端末１０Ｂが存在するか否かを、無線通信部１２Ａを介して判定する。ここで、他端末１０Ｂが当該自端末１０Ａの周囲に存在する場合には、当該他端末１０Ｂは、当該他端末１０Ｂが自端末１０Ａの周囲に存在することを示す信号を自端末１０Ａに送信する。この場合、自端末１０Ａは、当該他端末１０Ｂにより送信された信号を無線通信部１２Ａにより受信する。無線通信部１２Ａは、当該受信された信号を自端末通信制御部１８Ａｇに出力する。
【０１１５】
また、自端末通信制御部１８Ａｇは、前述した他端末１０Ｂが自端末１０Ａの周囲に存在することを示す信号の入力に基づいて、当該他端末１０Ｂにおける着信モード切替正確さ状態情報を判定して自端末１０Ａに返信させるための要求信号を、無線通信部１２Ａを介して他端末１０Ｂに送信する。ここで、他端末１０Ｂは当該要求信号に対する応答として、当該他端末１０Ｂにおける着信モード切替正確さ状態情報を判定完了した旨の信号及び当該他端末１０Ｂにおける着信モード切替正確さ状態情報を自端末１０Ａに送信する。この場合、自端末１０Ａは、他端末１０Ｂにより送信された当該信号及び当該他端末１０Ｂにおける着信モード切替正確さ状態情報を無線通信部１２Ａにより受信する。無線通信部１２Ａは、当該受信された当該信号及び当該他端末１０Ｂにおける着信モード切替正確さ状態情報を自端末通信制御部１８Ａｇに出力する。
【０１１６】
また、自端末通信制御部１８Ａｇは、無線通信部１２Ａにより出力された当該信号及び当該他端末１０Ｂにおける着信モード切替正確さ状態情報の入力に基づいて、他端末１０Ｂの擬似着信通知動作における着信モードを判定する旨の要求情報を擬似着信通知動作判定部１８Ａｋに出力する。
【０１１７】
また、自端末通信制御部１８Ａｇは、後述する擬似着信通知動作判定部１８Ａｋにより出力された擬似着信通知動作の判定が完了した旨の情報の入力に基づいて、発信者端末２からの呼び出し信号に対応した着信検出信号に対する着信を当該他端末１０Ｂに擬似的に実行させるための擬似着信通知動作要求信号を、無線通信部１２Ｂを介して他端末１０Ｂに送信する。なお、この擬似着信通知動作要求信号には、発信者端末２の発信者番号が含まれているものとする。
【０１１８】
擬似着信通知動作判定部１８Ａｋは、自端末通信制御部１８Ａｇにより出力された擬似着信通知動作における着信モードを判定する旨の要求情報の入力に基づいて、自端末１０Ａ及び他端末１０Ｂの着信モード切替正確さ状態情報を比較することにより、自端末１０Ａの着信モードと他端末１０Ｂの擬似着信通知動作における着信モードとを判定する。この比較結果に応じて、擬似着信通知動作判定部１８Ａｋは、自端末１０Ａの着信モードと他端末１０Ｂの擬似着信通知動作における着信モードとを次の様に判定する。
【０１１９】
具体的には、自端末１０Ａ及び他端末１０Ｂの着信モード切替正確さ状態情報が共に「正確状態である」又は「正確状態ではない」場合には、擬似着信通知動作判定部１８Ａｋは、自端末１０Ａの着信モードは「自端末１０Ａ」の現時点における着信モードと判定し、他端末１０Ｂの擬似着信通知動作における着信モードは「他端末１０Ｂ」の現時点における着信モードと判定する。
【０１２０】
また、自端末１０Ａの着信モード切替正確さ状態情報が「正確状態である」であり、他端末１０Ｂの着信モード切替正確さ状態情報が「正確状態ではない」場合には、擬似着信通知動作判定部１８Ａｋは、自端末１０Ａの着信モードと他端末１０Ｂの擬似着信通知動作における着信モードとは共に「自端末１０Ａ」の現時点における着信モードと判定する。
【０１２１】
また、自端末１０Ａの着信モード切替正確さ状態情報が「正確状態ではない」であり、他端末１０Ｂの着信モード切替正確さ状態情報が「正確状態である」場合には、擬似着信通知動作判定部１８Ａｋは、自端末１０Ａの着信モードと他端末１０Ｂの擬似着信通知動作における着信モードとは共に「他端末１０Ｂ」の現時点における着信モードと判定する。
【０１２２】
図１４は、第３の実施形態の他端末１０Ｂの記憶部１６Ｂ及び制御部１８Ｂの内部構成を示すブロック図である。記憶部１６Ｂ及び制御部１８Ｂについて図１４を参照して説明する。
【０１２３】
先ず、記憶部１６Ｂについて説明する。記憶部１６Ｂは、他端末１０Ｂに内蔵されるＲＯＭ、ＲＡＭ、ハードディスク、又はフラッシュメモリ等の記憶媒体で構成され、図９に示す様に、着信モード状態情報記憶部１６Ｂａと、着信モード切替正確さ状態情報記憶部１６Ｂｂと、擬似着信通知動作関連情報記憶部１６Ｂｅとを備える。
【０１２４】
着信モード状態情報記憶部１６Ｂａは図２に示した記憶部１６の着信モード状態情報記憶部１６ａと同様であるため、当該着信モード状態情報記憶部１６Ｂａの説明は省略する。また、着信モード切替正確さ状態情報記憶部１６Ｂｂは図２に示した記憶部１６の着信モード切替正確さ状態情報記憶部１６ｂと同様であるため、当該着信モード切替正確さ状態情報記憶部１６Ｂｂの説明は省略する。また、擬似着信通知動作関連情報記憶部１６Ｂｅは、図９に示した擬似着信通知動作関連情報記憶部１６Ｂｅと同様であるため、当該擬似着信通知動作関連情報記憶部１６Ｂｅの説明は省略する。
【０１２５】
次に、制御部１８Ｂについて説明する。制御部１８Ｂは、他端末１０Ｂに内蔵されるＣＰＵ、ＤＳＰ、ＲＯＭ、ＲＡＭ等で構成され、図１４に示す様に、着信モード状態情報取得部１８Ｂａと、着信モード切替正確さ状態情報取得部１８Ｂｂと、擬似着信通知動作判定部１８Ｂｉと、他端末通信制御部１８Ｂｇと、動作状態監視部１８Ｂｈと、擬似着信通知動作制御部１８Ｂｊとを備える。各部について説明する。
【０１２６】
着信モード状態情報取得部１８Ｂａは図９に示した制御部１８Ｂの着信モード状態情報取得部１８Ｂａと同様であるため、当該着信モード状態情報取得部１８Ｂａの説明は省略する。また、擬似着信通知動作判定部１８Ｂｉは図９に示した制御部１８Ｂの擬似着信通知動作取得部１８Ｂｉと同様であるため、当該擬似着信通知動作判定部１８Ｂｉの説明は省略する。また、動作状態監視部１８Ｂｈは図９に示した制御部１８Ｂの動作状態監視部１８Ｂｈと同様であるため、当該動作状態監視部１８Ｂｈの説明は省略する。また、擬似着信通知動作制御部１８Ｂｊは図９に示した制御部１８Ｂの擬似着信通知動作制御部１８Ｂｊと同様であるため、当該擬似着信通知動作制御部１８Ｂｊの説明は省略する。
【０１２７】
着信モード切替正確さ状態情報取得部１８Ｂｂは、他端末通信制御部１８Ｂｇにより出力された着信モード切替正確さ状態情報を判定する旨の情報の入力に基づいて、着信モード切替正確さ状態情報記憶部１６Ｂｂから当該情報の入力時点である現時点の着信モード切替正確さ状態情報を取得する。着信モード切替正確さ状態情報取得部１８Ｂｂは、当該着信モード切替正確さ状態情報を取得した旨の情報を擬似着信通知動作判定部１８Ｂｉ及び他端末通信制御部１８Ｂｇに出力すると共に、当該取得された着信モード切替正確さ状態情報を他端末通信制御部１８Ｂｇに出力する。
【０１２８】
他端末通信制御部１８Ｂｇは、自端末１０Ａにより送信された着信モード切替正確さ状態情報を判定する旨の要求信号が受信された場合には、当該要求信号に対応する着信モード切替正確さ状態を判定する旨の情報を生成し、着信モード切替正確さ状態情報取得部１８Ｂｂに出力する。また、他端末通信制御部１８Ｂｇは、着信モード切替正確さ状態情報取得部１８Ｂｂにより出力された各情報の入力に基づいて、他端末１０Ｂにおける着信モード切替正確さ状態情報を判定した旨の情報を生成し、当該情報と着信モード切替正確さ状態情報とを、無線通信部１２Ｂを介して自端末１０Ａに送信する。
【０１２９】
７．第３の実施形態の自端末の動作
図１５及び図１６は、第３の実施形態の自端末１０Ａの動作を説明するフローチャートである。以下のフローチャートは、自端末１０Ａが無線基地局１から発信者端末２からの発信に対応する呼び出し信号を受信した場合の自端末１０Ａの動作を説明したものである。また、前述した様に、着信モード状態情報記憶部１６Ａａには、当該受信された呼び出し信号に対応する着信検出信号の制御部１８Ａへの入力時点における着信モード状態情報が記憶されている。更に、前述した様に、着信モード切替正確さ状態情報記憶部１６Ａｂには、当該受信された呼び出し信号に対応する着信検出信号の制御部１８Ａへの入力時点における着信モード切替正確さ状態情報が記憶されている。更に、前述した様に、着信通知動作情報記憶部１６Ａｄには、当該受信された呼び出し信号に対応する着信検出信号の制御部１８Ａへの入力時点における着信通知動作情報が記憶されている。
【０１３０】
図１５において、着信モード状態情報取得部１８Ａａは、自端末１０Ａが発信者端末２からの呼び出し信号を無線基地局１から受信した場合に、無線通信部１２Ａにより出力された着信検出信号を入力する（Ｓ４１、ＹＥＳ）。着信モード状態情報取得部１８Ａａは、この着信検出信号の入力に基づいて、着信モード状態情報記憶部１６Ａａから当該着信検出信号の入力時点である現時点の着信モード状態情報を取得する（Ｓ４２）。着信モード状態情報取得部１８Ａａは、当該着信モード状態情報を取得した旨の情報、及び当該取得された着信モード状態情報を着信モード切替正確さ状態情報取得部１８Ａｂに出力する。
【０１３１】
着信モード切替正確さ状態情報取得部１８Ａｂは、着信モード状態情報取得部１８Ａａにより出力された各情報の入力に基づいて、着信モード切替正確さ状態情報記憶部１６Ａｂから当該着信検出信号の入力時点である現時点の着信モード切替正確さ状態情報を取得する（Ｓ４３）。ここで、着信モード切替正確さ状態情報取得部１８Ａｂは、当該取得された着信モード切替正確さ状態情報が「正確状態」であるか否かを判定する（Ｓ４４）。
【０１３２】
ステップＳ４４において当該着信モード切替正確さ状態情報が「正確状態」でないと判定された場合には（Ｓ４４、ＮＯ）、着信モード切替正確さ状態情報取得部１８Ａｂは、当該着信モード切替正確さ状態情報を取得した旨の情報、及び、当該取得された着信モード状態情報と着信モード切替正確さ状態情報とを着信通知動作判定部１８Ａｃに出力する。
【０１３３】
着信通知動作判定部１８Ａｃは、着信モード切替正確さ状態情報取得部１８Ａｂにより出力された各情報の入力に基づいて、着信通知動作関連情報記憶部１６Ａｃに記憶されている着信通知動作関連情報ＲＢを参照して取得する（Ｓ４５）。着信通知動作判定部１８Ａｃは、当該取得された着信通知動作関連情報ＲＢに基づいて、着信モード切替正確さ状態情報取得部１８Ａｂにより出力された着信モード状態情報及び着信モード切替正確さ状態情報に対応する着信通知動作情報を判定する（Ｓ４６）。着信通知動作判定部１８Ａｃは、当該着信通知動作情報を判定した旨の情報、及び当該判定された着信通知動作情報を着信通知動作更新部１８Ａｄに出力する。
【０１３４】
着信通知動作更新部１８Ａｄは、着信通知動作判定部１８Ａｃにより出力された各情報の入力に基づいて、当該入力された着信通知動作情報を着信通知動作情報記憶部１６Ａｄに更新する（Ｓ４７）。着信通知動作更新部１８Ａｄは、当該着信通知動作情報を更新した旨の情報を着信通知動作制御部１８Ａｅに出力する。
【０１３５】
ステップＳ４４において当該着信モード切替正確さ状態情報が「正確状態」であると判定された場合（Ｓ４４、ＹＥＳ）、又は、ステップＳ４７の後、自端末通信制御部１８Ａｇは、自端末１０Ａの周囲に他端末１０Ｂが存在するか否かを判定する（Ｓ４８）。具体的には、自端末通信制御部１８Ａｇは、自端末１０Ａの周囲に他端末１０Ｂが存在するか否かを確認するための信号を、無線通信部１２Ａを介して出力する。ここで、他端末１０Ｂが当該自端末１０Ａの周囲に存在する場合には、当該他端末１０Ｂは、当該信号に対する応答として、他端末１０Ｂが自端末１０Ａの周囲に存在する旨の信号を自端末１０Ａに送信する。
【０１３６】
ステップＳ４８において他端末１０Ｂが自端末１０Ａの周囲に存在するとして他端末１０Ｂから当該信号を受信した場合には（Ｓ４８、ＹＥＳ）、自端末通信制御部１８Ａｇは、自端末１０Ａ及び他端末１０Ｂの各着信モード切替正確さ状態情報を一度比較したか否かを判定する（Ｓ４９）。例えば、自端末通信制御部１８Ａｇは、擬似着信通知動作判定部１８Ａｋから当該自端末１０Ａ及び他端末１０Ｂの各着信モード切替正確さ状態情報の比較結果を入力したか否かを確認することにより、前述した比較したか否かの判定を行うことができる。
【０１３７】
ステップＳ４９において自端末１０Ａ及び他端末１０Ｂの各着信モード切替正確さ状態情報を一度も比較していないと判定された場合には（Ｓ４９、ＮＯ）、自端末通信制御部１８Ａｇは、当該他端末１０Ｂが自端末１０Ａの周囲に存在する旨の信号の入力に基づいて、当該他端末１０Ｂにおける着信モード切替正確さ状態情報を判定して自端末１０Ａに返信させるための要求信号を、無線通信部１２Ａを介して他端末１０Ｂに送信する（Ｓ５０）。
【０１３８】
図１６において、自端末通信制御部１８Ａｇは、当該要求信号に対する応答として、他端末１０Ｂから着信モード切替正確さ状態情報の判定が完了した旨の信号を受信したか否かを判定する（Ｓ５１）。当該信号を受信したと判定された場合には（Ｓ５１、ＹＥＳ）、擬似着信通知動作判定部１８Ａｋは、ステップＳ４３により取得された自端末１０Ａの着信モード切替正確さ状態情報とステップＳ５１により取得された他端末１０Ｂの着信モード切替正確さ状態情報とを比較する（Ｓ５２、Ｓ５３）。
【０１３９】
ステップＳ５２において自端末１０Ａ及び他端末１０Ｂの着信モード切替正確さ状態情報が共に「正確状態である」又は「正確状態ではない」と判定された場合には（Ｓ５２、ＹＥＳ）、擬似着信通知動作判定部１８Ａｋは、自端末１０Ａの着信モードは「自端末１０Ａ」の現時点における着信モードと判定し、他端末１０Ｂの擬似着信通知動作における着信モードは「他端末１０Ｂ」の現時点における着信モードと判定する（Ｓ５４）。
【０１４０】
ステップＳ５２において自端末１０Ａ及び他端末１０Ｂの着信モード切替正確さ状態情報が共に「正確状態である」又は「正確状態ではない」と判定されなかった場合には（Ｓ５２、ＮＯ）、擬似着信通知動作判定部１８Ａｋは、自端末１０Ａの着信モード切替正確さ状態情報は「正確状態」で且つ他端末１０Ｂの着信モード切替正確さ状態情報は「正確状態ではない」であるか否かを判定する（Ｓ５３）。
【０１４１】
ステップＳ５３において自端末１０Ａの着信モード切替正確さ状態情報は「正確状態」で且つ他端末１０Ｂの着信モード切替正確さ状態情報は「正確状態ではない」であると判定された場合には（Ｓ５３、ＹＥＳ）、擬似着信通知動作判定部１８Ａｋは、自端末１０Ａの着信モードと他端末１０Ｂの擬似着信通知動作における着信モードとは共に「自端末１０Ａ」の現時点における着信モードと判定する（Ｓ５５）。
【０１４２】
ステップＳ５３において自端末１０Ａの着信モード切替正確さ状態情報は「正確状態ではない」で且つ他端末１０Ｂの着信モード切替正確さ状態情報は「正確状態である」であると判定された場合には（Ｓ５３、ＮＯ）、擬似着信通知動作判定部１８Ａｋは、自端末１０Ａの着信モードと他端末１０Ｂの擬似着信通知動作における着信モードとは共に「他端末１０Ｂ」の現時点における着信モードと判定する（Ｓ５６）。
【０１４３】
ステップＳ５４〜ステップＳ５６において自端末１０Ａ及び他端末１０Ｂの各着信モードが判定された後、擬似着信通知動作判定部１８Ａｋは、当該他端末１０Ｂの着信モードを判定した旨の情報を自端末通信制御部１８Ａｇに出力する。自端末通信制御部１８Ａｇは、発信者端末２からの呼び出し信号に対応した着信検出信号に対する着信を当該他端末１０Ｂに擬似的に実行させるための擬似着信通知動作要求信号を、無線通信部１２Ｂを介して他端末１０Ｂに送信する（Ｓ５７）。なお、この擬似着信通知動作要求信号には、ステップＳ５４〜ステップＳ５６により判定された他端末１０Ｂの着信モード状態情報、及び発信者端末２の発信者番号が含まれているものとする。
【０１４４】
ステップＳ５７の後、着信通知動作判定部１８Ａｃは、ステップＳ５４〜ステップＳ５６の擬似着信通知動作判定部１８Ａｋの判定結果に基づいて自端末１０Ａの着信モードが変更される必要があるか否かを判定する（Ｓ５８）。着信通知動作判定部１８Ａｃは、当該自端末１０Ａの着信モードの変更の必要があると判定された場合には、着信通知動作関連情報ＲＢを参照して、当該変更された着信モードに対応する着信モード状態情報と着信モード切替正確さ状態情報とに対応する着信通知動作情報を判定する（Ｓ４６）。着信通知動作判定部１８Ａｃは、当該着信通知動作情報を判定した旨の情報、及び当該判定された着信通知動作情報を着信通知動作更新部１８Ａｄに出力する。
【０１４５】
着信通知動作更新部１８Ａｄは、着信通知動作判定部１８Ａｃにより出力された各情報の入力に基づいて、当該入力された着信通知動作情報を着信通知動作情報記憶部１６Ａｄに更新する（Ｓ４７）。着信通知動作更新部１８Ａｄは、当該着信通知動作情報を更新した旨の情報を着信通知動作制御部１８Ａｅに出力する。
【０１４６】
ステップＳ４７及びステップＳ４８の後のステップＳ４９においては、前述した様に自端末１０Ａ及び他端末１０Ｂの各着信モード切替正確さ状態情報の比較を一度行っており（Ｓ４９、ＹＥＳ）、更にステップＳ５８においては前述した様に自端末１０Ａの着信モード状態情報は変更されたため（Ｓ５８、ＮＯ）、ステップＳ５９に進む。
【０１４７】
ステップＳ５９では、着信通知動作制御部１８Ａｅは、着信通知動作更新部１８Ａｄにより出力された情報の入力に基づいて、着信通知動作情報記憶部１６Ａｄから着信通知動作更新部１８Ａｄにより入力された時点における現時点の着信通知動作情報を取得する。着信通知動作制御部１８Ａｅは、当該取得された着信通知動作情報に基づいて、当該着信通知動作情報に対応する着信通知動作を着信通知動作部１７Ａに実行させるための着信通知動作信号を着信通知動作部１７Ａに出力する（Ｓ５９）。ステップＳ５９の後、図１５のフローチャートは終了する。
【０１４８】
８．第３の実施形態の他端末の動作
図１７は、第３の実施形態の他端末１０Ｂの動作を説明するフローチャートである。以下のフローチャートの内容は、他端末１０Ｂが自端末１０Ａの周囲に存在するか否かを確認する旨の信号を自端末１０Ａから受信した場合の他端末１０Ｂの動作を説明したものである。また、着信モード状態情報記憶部１６Ｂａには、他端末通信制御部１８Ｂｇが他端末１０Ｂが自端末１０Ａの周囲に存在する旨の信号を出力した時点における着信モード状態情報が記憶されている。また、着信モード切替正確さ状態情報記憶部１６Ｂｂには、他端末通信制御部１８Ｂｇが自端末１０Ａから着信モード切替正確さ状態情報を判定する旨の要求信号を受信した時点における着信モード切替正確さ状態情報が記憶されている。
【０１４９】
図１７において、他端末通信制御部１８Ｂｇは、他端末１０Ｂが自端末１０Ａの周囲に存在するか否かを確認する旨の信号を自端末１０Ａから受信した場合に（Ｓ６１、ＹＥＳ）、当該信号に対する応答として、他端末１０Ｂが自端末１０Ａの周囲に存在する旨の信号を、無線通信部１２Ｂを介して自端末１０Ａに送信する（Ｓ６２）。また、他端末通信制御部１８Ｂｇは、当該信号を自端末１０Ａに送信した後、現時点における他端末１０Ｂの着信モード状態情報を取得する旨の要求情報を着信モード状態情報取得部１８Ｂａに出力する。
【０１５０】
着信モード状態情報取得部１８Ｂａは、他端末通信制御部１８Ｂｇにより出力された要求情報の入力に基づいて、着信モード状態情報記憶部１６Ｂａから当該要求情報の入力時点である現時点の着信モード状態情報を取得する（Ｓ６３）。着信モード状態情報取得部１８Ｂａは、当該着信モード状態情報を取得した旨の情報、及び当該取得された着信モード状態情報を着信通知動作判定部１８Ｂｃに出力する。
【０１５１】
他端末通信制御部１８Ｂｇは、他端末１０Ｂの着信モード切替正確さ状態情報を要求するための要求信号を自端末１０Ａから受信したか否かを判定する（Ｓ６４）。ステップＳ６４において当該要求信号を受信したと判定された場合には（Ｓ６４、ＹＥＳ）、他端末通信制御部１８Ｂｇは、当該要求信号の受信に基づいて、当該着信モード切替正確さ状態情報を判定する旨の情報を着信モード切替正確さ状態取得部１８Ｂｂに出力する。
【０１５２】
着信モード切替正確さ状態情報取得部１８Ｂｂは、他端末通信制御部１８Ｂｇにより出力された着信モード切替正確さ状態情報を判定する旨の情報の入力に基づいて、着信モード切替正確さ状態情報記憶部１６Ｂｂから当該着信モード切替正確さ状態情報を判定する旨の情報の入力時点である現時点の着信モード切替正確さ状態情報を取得する（Ｓ６５）。着信モード切替正確さ状態情報取得部１８Ｂｂは、当該着信モード切替正確さ状態情報を取得した旨の情報を擬似着信通知動作判定部１８Ｂｉ及び他端末通信制御部１８Ｂｇに出力すると共に、当該取得された着信モード切替正確さ状態情報を他端末通信制御部１８Ｂｇに出力する。
【０１５３】
また、他端末通信制御部１８Ｂｇは、着信モード切替正確さ状態情報取得部１８Ｂｂにより出力された各情報の入力に基づいて、他端末１０Ｂにおける着信モード切替正確さ状態情報を判定した旨の情報を生成し、当該着信モード切替正確さ状態情報判定完了情報と着信モード切替正確さ状態情報とを、無線通信部１２Ｂを介して自端末１０Ａに送信する（Ｓ６６）。
【０１５４】
他端末通信制御部１８Ｂｇは、自端末１０Ａから擬似着信の要求信号を受信した場合に（Ｓ６７、ＹＥＳ）、当該要求信号に対応する擬似着信通知動作を判定する旨の要求情報を擬似着信通知動作判定部１８Ｂｉに出力する。
【０１５５】
動作状態監視部１８Ｂｈは、他端末１０Ｂの動作状態を監視することにより当該他端末１０Ｂの動作状態に関する動作状態情報を着信通知動作判定部１８Ｂｃに出力する（Ｓ６８）。
【０１５６】
擬似着信通知動作判定部１８Ｂｉは、他端末通信制御部１８Ｂｇにより出力された擬似着信通知動作を判定する旨の要求情報、着信モード状態情報取得部１８Ｂａにより出力された着信モード状態情報及び動作状態監視部１８Ｂｈにより出力された動作状態情報の入力に基づいて、擬似着信通知動作関連情報記憶部１６Ｂｃを参照して（Ｓ６９）、当該着信モード状態情報に対応する擬似着信通知動作情報を判定する（Ｓ７０）。擬似着信通知動作判定部１８Ｂｉは、当該判定された擬似着信通知動作情報を擬似着信通知動作制御部１８Ｂｊに出力する。
【０１５７】
擬似着信通知動作制御部１８Ｂｊは、擬似着信通知動作判定部１８Ｂｉにより出力された擬似着信通知動作情報の入力に基づいて、当該擬似着信通知動作情報に対応する擬似着信通知動作を着信通知動作部１７Ｂに実行させるための擬似着信通知動作信号を着信通知動作部１７Ｂに出力する（Ｓ７１）。なお、着信通知動作部１７Ｂは、擬似着信通知動作制御部１８Ｂｊにより出力された擬似着信通知動作信号に従って、擬似着信通知動作判定部１８Ｂｉにより判定された擬似着信通知動作情報に対応する擬似着信通知動作を実行する。
【０１５８】
以上により、第３の実施形態の自端末１０Ａは、自端末１０Ａの着信モード及び他端末１０Ｂの擬似着信通知動作における着信モードを、自端末１０Ａ及び他端末１０Ｂの各着信モード切替正確さ状態情報の比較結果に応じて、正確状態である着信モード切替正確さ状態情報を有する端末に合わせるように判定する。これにより、例えば自端末１０Ａを保持するユーザより当該他端末１０Ｂを保持する他のユーザが他端末１０Ｂの着信モードの切替を正確に行っている場合において、当該他端末１０Ｂの着信モード切替正確さ状態情報が正確状態である場合には、自端末１０Ａの着信モードも当該他端末１０Ｂの着信モードに合わせて着信することができる。このため、自端末１０Ａを保持するユーザは、第１の実施形態及び第２の実施形態に比べて、ユーザの自端末１０Ａに対する着信の存在を認知する可能性をより格段に向上させることができる。なお、当該他端末１０Ｂを保持するユーザは当該自端末１０Ａを保持するユーザと同一人物であっても良い。
【０１５９】
更に、自端末１０Ａは、当該自端末１０Ａの近距離通信が可能な範囲の周囲に他端末１０Ｂの存在を確認すると共に、当該他端末１０Ｂの存在が確認された場合には、発信者端末２から自端末１０Ａへの着信を他端末１０Ｂの動作状態に応じて擬似着信させる。これにより、自端末１０Ａ及び他端末１０Ｂによれば、発信者端末２から自端末１０Ａへ着信があった場合に、自端末１０Ａの着信通知動作が実行されると共に、自端末１０Ａの周囲に存在する他端末１０Ｂの擬似着信通知動作が実行されるため、第１の実施形態の自端末１０に比べて、ユーザの自端末１０に対する着信の存在を認知する可能性をより格段に向上させることができる。
【０１６０】
また、第３の実施形態の他端末１０Ｂによれば、当該他端末１０Ｂの着信モード切替正確さ状態情報が正確状態ではなく自端末１０Ａの着信モード切替正確さ状態情報が正確状態であると自端末１０Ａにより判定された場合には、当該他端末１０Ｂの着信モードが自端末１０Ａの着信モードに合わせて変更された着信モードにより擬似着信通知動作を実行する。これにより、他端末１０Ｂは、自端末１０Ａと共にユーザの自端末１０に対する着信の存在を認知する可能性をより格段に向上させることができる。
【０１６１】
以上、添付図面を参照しながら各種の実施形態について説明したが、本発明はかかる例に限定されないことは言うまでもない。当業者であれば、特許請求の範囲に記載された範疇内において、各種実施形態の変更例または修正例、更に各種実施形態の組み合わせ例に想到し得ることは明らかであり、それらについても当然に本発明の技術的範囲に属するものと了解される。
【０１６２】
前述した第２及び第３の各実施形態においては、他端末１０Ｂが１つである場合を想定して説明したが、当該他端末１０Ｂは複数存在しても良い。この場合には、自端末１０Ａは前述した１つの他端末１０Ｂに対する動作を各他端末１０に対して実行する。特に第３の実施形態においては、自端末１０Ａが自端末１０Ａと複数の他端末１０Ｂの各着信モード切替正確さ状態情報を比較する場合、擬似着信通知動作判定部１８Ａｋは、複数の他端末１０Ｂから受信した各着信モード切替正確さ状態情報の中で正確状態である着信モード切替正確さ状態情報を有する他端末１０Ｂが存在する場合には、当該複数の他端末１０Ｂ全体における着信モード切替正確さ状態情報を「正確状態」であると判定し、自端末１０Ａの着信モード切替正確さ状態情報と比較することが好ましい。当該比較の結果、「正確状態」である着信モード切替正確さ状態情報を有する端末に合わせた着信モードに応じた着信通知動作が自端末１０Ａ、及び複数の他端末１０Ｂにおいて実行される。これにより、ユーザの自端末１０に対する着信の存在を認知する可能性をより格段に向上させることができる。
【０１６３】
なお、前述した第１の実施形態では、図４に示した条件（ｅ）における一定時間として１５［秒］を例示して説明した。しかし、この一定時間は次の様にして演算しても良い。例えば、着信モード切替正確さ状態情報更新部１８ｆは、当該一定時間の初期値を１５［秒］として、着信モード状態情報が通常モードである場合における着信時から当該着信応答時までの時間を計測する。次に、着信モード切替正確さ状態情報更新部１８ｆは、着信当該着信時の度に、当該着信時から当該着信応答するまでの計測時間に基づいて標準偏差及び平均値を演算し、記憶部１６に当該演算された演算値（標準偏差及び平均値）を記憶しておく。着信モード切替正確さ状態情報更新部１８ｆは、次の着信時に当該着信から着信応答時までの時間が「平均値＋（標準偏差の３倍）」より長い場合には、当該着信時から当該着信応答するまでの時間を前述した一定時間と判定する。
【０１６４】
なお、前述した第２の実施形態における図１１に示す自端末１０Ａのフローチャートにおいて、ステップＳ２８及びステップＳ２９の動作は、ステップＳ２４〜ステップＳ２７の動作の後に続くように説明した。しかし、当該ステップＳ２８及びステップＳ２９の動作は、ステップＳ２４〜ステップＳ２７の動作の前に実行されても良い。
【産業上の利用可能性】
【０１６５】
本発明は、ユーザに対する着信の認知度を一層向上させることが可能な携帯電話機、着信通知動作実行方法及びプログラムとして有用である。
【符号の説明】
【０１６６】
１  無線基地局
２  発信者端末
１０、１０Ａ  自端末
１０Ｂ  他端末
１１、１１Ａ、１１Ｂ  アンテナ
１２、１２Ａ、１２Ｂ  無線通信部
１３、１３Ａ、１３Ｂ  マイク
１４、１４Ａ、１４Ｂ  スピーカ
１５、１５Ａ、１５Ｂ  操作部
１６、１６Ａ、１６Ｂ  記憶部
１６ａ、１６Ａａ、１６Ｂａ  着信モード状態情報記憶部
１６ｂ、１６Ａｂ、１６Ｂｂ  着信モード切替正確さ状態情報記憶部
１６ｃ、１６Ａｃ、１６Ｂｃ  着信通知動作関連情報記憶部
１６ｄ、１６Ａｄ、１６Ｂｄ  着信通知動作情報記憶部
１７、１７Ａ、１７Ｂ  着信通知動作部
１７ｘ、１７Ａｘ、１７Ｂｘ  呼出し音出力部
１７ｙ、１７Ａｙ、１７Ｂｙ  バイブレータ部
１７ｚ、１７Ａｚ、１７Ｂｚ  発光部
１８、１８Ａ、１８Ｂ  制御部
１８ａ、１８Ａａ、１８Ｂａ  着信モード状態情報取得部
１８ｂ、１８Ａｂ  着信モード切替正確さ状態情報取得部
１８ｃ、１８Ａｃ、１８Ｂｃ  着信通知動作判定部
１８ｄ、１８Ａｄ  着信通知動作更新部
１８ｅ、１８Ａｅ  着信通知動作制御部
１８ｆ、１８Ａｆ  着信モード切替正確さ状態情報更新部
１８Ａｇ  自端末通信制御部
１８Ｂｇ  他端末通信制御部
１８Ｂｈ  動作状態監視部
１８Ａｋ、１８Ｂｉ  擬似着信通知動作判定部
１８Ｂｊ  擬似着信通知動作制御部
１９、１９Ａ、１９Ｂ  表示部
２０、２０Ａ、２０Ｂ  内部時計
ＡＴ  状態継続時間平均値
ＲＢ、ＲＣ  着信通知動作関連情報
Ｔ  状態継続時間
ＴＴ  着信モード継続時間情報
【図１】
2012004913.tif 000003
【図２】
2012004913.tif 000004
【図３】
2012004913.tif 000005
【図４】
2012004913.tif 000006
【図５】
2012004913.tif 000007
【図６】
2012004913.tif 000008
【図７】
2012004913.tif 000009
【図８】
2012004913.tif 000010
【図９】
2012004913.tif 000011
【図１０】
2012004913.tif 000012
【図１１】
2012004913.tif 000013
【図１２】
2012004913.tif 000014
【図１３】
2012004913.tif 000015
【図１４】
2012004913.tif 000016
【図１５】
2012004913.tif 000017
【図１６】
2012004913.tif 000018
【図１７】
2012004913.tif 000019